(57)【要約】【課題】所定情報の提供を自動的に行うことが可能な車載装置を提供する。【解決手段】所定情報の提供を目的とした、キャラクタの表示内容、処理内容、及び、出力する音声の内容のうちの少なくとも１つが定義された画面要素を１画面要素とし、該画面要素を組み合わせて構成された画面要素推移体及び該画面要素推移体の起動条件を画面要素推移記憶手段に記憶する。そして、車載センサ、使用者データの少なくとも１つに基づき起動条件を満たしているか判断し、起動条件を満たしていると判断された場合、画面要素推移体を実行して情報の提供を行う。【選択図】　　　図３７
2004051074.tif 000002
【特許請求の範囲】
【請求項１】
所定情報の提供を目的とした、キャラクタの表示内容、処理内容、及び、出力する音声の内容のうちの少なくとも１つが定義された画面要素推移体及び該画面要素推移体の起動条件を記憶する画面要素推移記憶手段と、
車載センサ、使用者データの少なくとも１つに基づき前記起動条件を満たしているか判断する条件判断手段と、
前記起動条件を満たしていると判断された場合、前記画面要素推移体を実行して情報の提供を行う画面要素推移体実行手段と、
を備えたことを特徴とする車載装置。
【請求項２】
所定情報の提供を目的とした、キャラクタの表示内容、処理内容、及び、出力する音声の内容のうちの少なくとも１つに基づき車両内の表示装置で実行処理するための画面要素推移体を作成する画面要素推移体作成手段と、
前記画面要素推移体の起動条件を設定する起動条件設定手段と、
を具備することを特徴とするデータ作成装置。
【請求項３】
所定情報の提供を目的とした、キャラクタの表示内容、処理内容、及び、出力する音声の内容のうちの少なくとも１つに基づき車両内の表示装置で実行処理するための画面要素推移体を作成する画面要素推移体作成機能と、
前記画面要素推移体の起動条件を設定する起動条件設定機能と、
をコンピュータに実現させるためのデータ作成プログラム。
【請求項４】
車両内の表示装置に情報提供装置の情報を表示すると共にキャラクタの動作を表示させる表示手段と、を備え、
前記表示手段は、前記情報提供装置の作動が停止されてから開始されるまでの時間の長さに対応させて、前記キャラクタの髪型を成長させるよう変更させて表示させる
ことを特徴とする車載装置。
【発明の詳細な説明】
【０００１】
【発明の属する技術分野】
本発明は、車載装置、データ作成装置、及びデータ作成プログラムに係り、例えば、車両の搭乗者とのコミュニケーションにより会話をしたり機器操作等を自律的に行うエージェント機能を備えた車載装置、及びそのデータ作成装置、及びデータ作成プログラムに関する。
【０００２】
【従来の技術】
例えば、ユーザとの対応を行う犬などのペット型のロボットが開発され、提供されている。また、車室内においてナビゲーション装置等の機器操作の案内をしたり状況に応じた質問や提案等を行うことで搭乗者との対話や対応をするエージェント装置が開発され、車載装置として車両に搭載されている。
このようなロボットや車載装置（エージェント装置）では、その装置に対して考えられる種々の状態を想定すると共に、想定した各状態を検出した場合にとるべき対応が、所定のデータやプログラムに従って規定されている。
そして、車載装置から所定の情報を得ようとする場合、ユーザが車載装置に対して希望する情報を要求する操作を行い、車載装置では、要求された情報を提供するようになっている。
【０００３】
【発明が解決しようとする課題】
従来の、エージェント装置では、エージェントが自動で登場するための条件設定はプログラムを作成及び修正することでしか実現できなかったため、プログラムの知識が無いと作成や変更することができず、また、開発に費やす時間や費用も多く必要であった。
ユーザは車載装置から各種情報を得たい場合に、操作をしなければ得られないという問題があった。
また、従来のエージェント装置では、表示されるキャラクタの容姿が時間の経過とともに変化することはなかった。
【０００４】
本発明は上記課題を解決するためになされたもので、所定情報の提供を自動的に行うことが可能な車載装置を提供することを第１の目的とする。
また本発明は、車載装置において所定情報を自動的に提供するための画面要素推移体、及びその起動条件を容易に作成することが可能なデータ作成装置を提供することを第２の目的とする。
また本発明は、車載装置において実行される所定情報を自動的に提供するための画面要素推移体、及びその起動条件をコンピュータを用いて容易に作成可能なデータ作成プログラムを提供することを第３の目的とする。
また、本発明は、表示されるキャラクタの容姿が時間の経過とともに変化する車載装置を提供することを第４の目的とする。
【０００５】
【課題を解決するための手段】
請求項１記載の発明では、所定情報の提供を目的とした、キャラクタの表示内容、処理内容、及び、出力する音声の内容のうちの少なくとも１つが定義された画面要素推移体及び該画面要素推移体の起動条件を記憶する画面要素推移記憶手段と、車載センサ、使用者データの少なくとも１つに基づき前記起動条件を満たしているか判断する条件判断手段と、前記起動条件を満たしていると判断された場合、前記画面要素推移体を実行して情報の提供を行う画面要素推移体実行手段と、を車載装置に具備させて前記第１の目的を達成する。
なお、請求項１に記載の車載装置において、前記車載センサは、時間、場所、道路種別、車両状態、ナビゲーション装置の稼動状態の少なくとも１つを検出するようにしてもよい。
また、請求項１に記載の車載装置において、前記画面推移体実行手段は、車両内の表示装置に実行された画面推移体を表示するようにしてもよい。
【０００６】
請求項２記載の発明では、所定情報の提供を目的とした、キャラクタの表示内容、処理内容、及び、出力する音声の内容のうちの少なくとも１つに基づき車両内の表示装置で実行処理するための画面要素推移体を作成する画面要素推移体作成手段と、前記画面要素推移体の起動条件を設定する起動条件設定手段と、データ作成装置に具備させて前記第２の目的を達成する。
なお、請求項２に記載のデータ作成装置において、前記画面要素推移体は、前記キャラクタによる提案、質問、挨拶等の能動的動作を内容とする画面要素から開始するようにしてもよい。
【０００７】
請求項３記載の発明では、所定情報の提供を目的とした、キャラクタの表示内容、処理内容、及び、出力する音声の内容のうちの少なくとも１つに基づき車両内の表示装置で実行処理するための画面要素推移体を作成する画面要素推移体作成機能と、前記画面要素推移体の起動条件を設定する起動条件設定機能と、をコンピュータに実現させるためのデータ作成プログラムにより、前記第３の目的を達成する。
なお、請求項３に記載のデータ作成プログラムにおいて、時間、場所、道路種別、車両状態、ナビゲーション装置の稼動状態、使用者データの少なくとも１つから前記画面要素推移体を起動させるための起動条件を設定する起動条件設定機能をコンピュータに実現させるようにしてもよい。
また、請求項３に記載のデータ作成プログラムにおいて、前記画面要素推移体をナビゲーション装置で動作させるための動作形式に変換する変換機能をコンピュータに実現させるようにしてもよい。
【０００８】
請求項４記載の発明では、車両内の表示装置に情報提供装置の情報を表示すると共にキャラクタの動作を表示させる表示手段と、を備え、前記表示手段は、前記情報提供装置の作動が停止されてから開始されるまでの時間の長さに対応させて、前記キャラクタの髪型を成長させるよう変更させて表示させることで、前記第４の目的を達成する。
【０００９】
【発明の実施の形態】
以下、本発明の車載装置の好適な実施形態であるエージェント装置、データ作成装置の好適な実施形態であるシナリオ作成装置、及びデータ作成プログラムの好適な実施形態であるシナリオエディタについて、図１から図４２を参照して詳細に説明する。
（１）実施形態の概要
本実施形態のエージェント装置では、所定の容姿からなるエージェント（キャラクタ）の画像（平面的画像、ホログラフィ等の立体的画像等）を車両内に表示する。そして、エージェント装置の機能である、センサ等の検出結果から周囲の状態（人の動きや音声を含む）を認識、判断し、その結果に応じた動作や音声を出力するという機能を、このエージェントの容姿の動きや音声と連動して実行する。例えば、「どのジャンルの食事がすきですか」等の回答（和食、洋食等）を要求する問かけを行い、この問いかけに対するユーザの回答内容を判別（回答音声の認識や、回答選択ボタン５４ａの選択から判別）して、次のシーンに応じた処理を実行する。このように、装置からの回答を要求する問いかけと、その回答に応じて、所定の操作の実行を開始するので、ユーザは、あたかも擬似人格を備えたエージェントが車両内に存在しているような体感をするようになる。以下の説明では、このようなエージェント装置の一連の機能の実行を、エージェントの行為や動作として説明する。
本実施形態のエージェント装置では、このエージェントに運転者との各種コミュニケーションや、操作の代行を行わせる。そしてエージェントが自律的に行う様々な行為（各行為）を複数のシナリオ（画面要素推移体）で構成する。そして、エージェントによる一連の連続した行為の内容を規定した複数のシナリオと、各シナリオの展開を自律的に開始（起動）するための自律起動条件（起動条件）とにより規格化したシナリオデータを保存する。
シナリオは、シーン（画面要素）を最小単位として、１又は連続する複数のシーンで構成される。自律的に行う処理内容とエージェントの画像及び音声の少なくとも１つから構成される場面が１シーンである。
シナリオは、所定のシーンから次のシーンに移行するための１の移行条件（連続条件）又は複数の移行条件（分岐条件（複数の状態が発生する場合の各状態毎のシーンに移行するための条件））と、各移行条件に対応して移行先のシーンを特定する移行先データとから、各シーンの展開構成が規定されている。
【００１０】
一方、エージェント装置のユーザ等は、規定された規格に従った独自のシナリオを、シナリオ作成装置を使用して作成する。シナリオ作成装置は、シナリオ編集プログラムやデータをパーソナルコンピュータにインストールすることで構成することができる。
作成したシナリオは、インターネット等のネットワークを介してエージェント装置に送信し、又はダウンロードしてもらうことにより、また、所定の半導体メモリを介してエージェント装置に格納することで、自己（第三者）の希望通りの行為（コミュニケーションや処理）をエージェントに行わせることが可能になる。
作成するシナリオの最初のシーンに、例えば、人間に対する回答を要求する問いかけのシーンのシナリオとすることができる。そして、独自に作成したシナリオデータを、外部の装置から入力装置を介して入力することが可能である。この場合の入力装置は、半導体メモリに追加するシナリオデータが格納されている場合には、半導体メモリの内容を読みとる記憶媒体駆動装置が該当し、インターネット等のネットワークを介して特定のサーバ等からダウンロードする場合には通信制御装置が該当する。この新たに入力したシナリオデータに従って、シナリオを実行する。
【００１１】
エージェント装置は、メール、ブラウザソフトを備えることにより、ブラウザソフト等を使ってシナリオをダウンロードし、そのダウンロードしたファイルがエージェントを機能させるシナリオデータであるか否か判断し、シナリオデータであればエージェントプログラムに組み込んで使用できるようにする。また、メールに添付されている場合も同様に、添付のファイルがシナリオであるか否か判断しシナリオであればエージェントシステムに組み込んで使用できるようにする。
これにより従来の手法以外にも、既存の通信インフラであるメール、ネットワーク等を使った通信とを使用することにより、また、半導体メモリ等を介することで、パーソナルコンピュータ等を使用して作成した独自のシナリオを追加することができるようになる。
このように、ユーザは自分の思い通りにエージェントを機能させるシナリオを独自にまた、容易に作成ことが可能になるので、エージェント装置の自律的な動作に対する抵抗がなくなる。
【００１２】
さらに、エージェント装置では、シナリオ作成装置で作成されたシナリオデータに基づいてエージェントを自律的に起動させる（自動で登場させる）条件を満たしたかを判断する処理を定期的にもしくは特定の状態を満たしたときに実行し、条件を満たした場合にエージェントを自動で登場させることができるシステムを備えさせる。
これによりシナリオ作成装置では、プログラムの知識の有無に関係無く、シナリオエディタを持つことで特定の条件を満たしたときに自動で登場して対応してくれるエージェントのシナリオデータを作成及び編集することができる。
例えば、オービスの設置してある２ｋｍ手前の地点（東経北緯座標で指定）でかつ、道路種別が高速道路でかつ、車速が１２０ｋｍ／ｈ以上で走行している場合に自動で登場してオービスの警告をしてくれるシナリオの条件の中にある車速の条件を１４０ｋｍ／ｈ以上に変更するとか、毎年特定の日（例えばクリスマスイブ）に１回だけ起動するシナリオを作成する事が可能となる。
【００１３】
また、シナリオ作成装置に、音（効果音）を鳴らすｏｒ鳴らさないの設定及び鳴らす場合はどういった音を鳴らすか設定ができる機能（作成した各シーンで設定できる）を備えさせる。
またナビゲーション機能を備えたエージェント装置ではそのパソコンで作成されたデータに基づいて音を鳴らす（指定の効果音を鳴らす）ｏｒ鳴らさないの制御ができる機能を備えさせる。
これにより例えば、オービスの設置してある２ｋｍ手前の地点（東経北緯座標で指定）でかつ、道路種別が高速道路でかつ、車速が１２０ｋｍ／ｈ以上で走行している場合に自動で登場してオービスの警告をしてくれるシナリオを作成し、登場したとき（最初のシーン）に注意・警告の効果音を設定し運転者に通知するようにする。これにより、自動でエージェントが登場したことを運転者が画面を見ることなく通知することができるシナリオが作成できるようになり、運転操作中でも運転者は安全にエージェントの登場を知ることができる。
また、この音を鳴らす設定は自動で登場する場合だけでなく検索の終了を通知するためにも使用可能である。
【００１４】
（２）実施形態の詳細
図１は、エージェント装置とシナリオ作成装置からなる全体のシステム構成を表したものである。
このシステムでは、本実施形態のエージェント装置１と、指定された規格でシナリオデータを作成するユーザ又は第三者であるシナリオデータ作成者のシナリオ作成装置２と、サーバ３等を使用したインターネット等の通信手段から構成されている。
シナリオ作成装置２では、シナリオエディタにより独自のシナリオデータを作成する。そして、独自のシナリオデータを作成したユーザは、ＤＶＤ−ＲＯＭ、ＩＣカード等の半導体記憶装置その他の記憶媒体７にシナリオデータを格納して、エージェント装置１に受け渡すことが可能である。そして、シナリオデータを受け取ったエージェント装置１では、記憶媒体駆動装置により記憶媒体７からシナリオデータを読み込んで、既に記憶しているシナリオデータに組み込むことで、シナリオ作成装置２で作成されたシナリオデータにしたがってエージェント装置１を動作させることが可能になる。なお、シナリオ作成装置２で作成するものは、エージェント装置１のユーザ自身でもよく、また、第三者でもよい。
また、エージェント装置１では、ユーザ自身や第三者が作成したシナリオデータを、インターネット等のネットワークを介して組み込み、また、メールに添付されたシナリオデータを組み込むことができる。
また、エージェント装置１のユーザに対してサービスの提供等を希望する第三者は、所定形式のシナリオデータを、例えば、シナリオエディタを使用してシナリオ作成装置２で作成し、自己のホームページに掲載してダウンロード可能にし、または電子メールの添付ファイルとしてエージェント装置１に送信する。エージェント装置１は、電子メールに添付されたシナリオデータ５を受信し、または、ユーザがサーバ３等の通信手段を介してシナリオデータファイル４をダウンロードするようになっている。また、エージェント装置１は、受信したシナリオデータの実行に従って取得されるユーザの回答（シナリオデータに対する回答メール）を、電子メール６の本文又は添付ファイルで、シナリオ作成者のシナリオ作成装置２に送信する。
【００１５】
まず、開発者やユーザによって作成されたシナリオに従ってエージェントが自律的に起動するエージェント装置１について、その構成と動作を説明する。
図２は、本実施形態におけるエージェント装置１の構成を表したブロック図である。
本実施形態におけるエージェント装置１は、車両に搭載されおり、車両内のユーザーとの間でコミュニケーションを行う機能や車両に対して所定の処理を行う車両制御機能等のエージェント機能の他、ユーザーに走行経路の案内等を行うナビゲーション機能も備えている。
本実施形態のエージェント装置１では、エージェント機能および、ナビゲーション機能を実現するための中央処理装置（１）、表示装置（２）、音声出力装置（３）、音声入力装置（４）、入力装置（５）、各種状況検出装置（６）、各種車載装置（７）、通信制御装置（８）、通信装置（９）、外部記憶装置（１０）を備えている。
【００１６】
中央処理装置（１）は、種々の演算処理を実行するＣＰＵ（１−１）、外部記憶装置（１０）からプログラムを読み込んで格納するフラッシュメモリ（１−２）、フラッシュメモリ（１−２）のプログラムチェック、更新処理を行なうプログラム（プログラム読み込み手段）を格納したＲＯＭ（１−３）、ＣＰＵ（１−１）がワーキングメモリとして演算処理中のデータを一時的に格納するＲＡＭ（１−４）、時計（１−５）、表示装置（２）への画面表示に使用する画像データが記憶された画像メモリ（１−７）、ＣＰＵ（１−１）からの表示出力制御信号に基づいて画像メモリ（１−７）から画像データを取り出し、画像処理を施して表示装置（２）に出力する画像プロセッサ（１−６）、ＣＰＵ（１−１）からの音声出力制御信号をアナログ信号に変換して音声出力装置（３）に出力する処理と、音声入力装置（４）から入力されたアナログ信号をデジタルの音声入力信号に変換する処理を行なう音声プロセッサ（１−８）、入力装置（５）による入力内容を受け取る入力装置Ｉ／Ｆ部（１−９）、各種状況を検出するための検出器類から情報を受け取るための各種入力Ｉ／Ｆ部（１−１０）、他の装置と情報のやり取りを行なう通信Ｉ／Ｆ部（１−１１）、ＣＤ−ＲＯＭやＩＣカード類、ハードディスク等といった外部記憶媒体（１０−２）からデータ及びプログラムを読み込んだりデータを書き込んだりする外部記憶装置（１０）を制御するための外部記憶装置制御部（１−１２）を備えている。
【００１７】
この中央処理装置（１）は、経路探索処理や、経路案内に必要な表示案内処理や、その他システム全体において必要な処理、本実施形態におけるエージェント処理（エージェントと運転者との各種コミュニケーションや操作代行、状況判断を行ないその結果に応じて自立的に行なう処理）を行うようになっている。
更新処理を行なうプログラム（プログラム読み込み手段）は、ＲＯＭ（１−３）以外にもフラッシュメモリ（１−２）に格納するようにしてもよい。
本実施形態におけるプログラムを含め、ＣＰＵ（１−１）で実行される全てのプログラムは全て、外部記憶媒体（１０−２）であるＣＤ−ＲＯＭ等に格納されてもよいし、それらプログラムの一部または全てが本体側のＲＯＭ（１−３）またはフラッシュメモリ（１−２）に格納するようにしてもよい。
この外部記憶媒体（１０−２）に記憶されたデータやプログラムが外部信号として中央処理装置（１）に入力されて演算処理されることにより、種々のエージェント機能及びナビゲーション機能が実現されるようになっている。
また、本実施形態の中央処理装置（１）は、起動条件（自律起動条件）を満たしていると判断された場合、画面要素推移体（シナリオ）を実行する、画面要素推移体実行手段を形成している。
【００１８】
表示装置（２）は、中央処理装置（１）の処理による経路案内用の道路地図や各種画像情報が表示されたり、キャラクタの各種行動（動画）及び画面構成のパーツで構成された画面要素推移体（シナリオ）が表示されたりするようになっている。
この表示装置（２）には、液晶表示装置、ＣＲＴ等の各種表示装置が使用される。
なお、この表示装置（２）は、例えばタッチパネル等の、入力装置（５）としての機能を兼ね備えたものとすることができる。
【００１９】
音声出力装置（３）は、中央処理装置（１）の処理によって声による経路案内を行なう場合の案内音声や、エージェントによる運転者との通常のコミュニケーション用の会話や運転者情報取得のための質問による音声や音が出力されるようになっている。
この音声出力装置（３）は、車内に配置された複数のスピーカで構成されている。これらは、オーディオ用のスピーカと兼用するようにしてもよい。
音声入力装置（４）は、運転者の音声を的確に収集するために指向性のある専用のマイクが使用されたりする。この音声入力装置（４）から入力されたアナログ信号を変換したデジタルの音声入力信号を使ってＣＰＵ（１−１）で音声認識処理が行われるようになっている。
音声認識の対象となる音声としては、例えば、ナビゲーション処理における目的地等の入力音声や、エージェントとの運転者の会話（運転者による応答を含む）等があげられ、音声入力装置はこれらの音声を入力する音声入力手段として機能する。
【００２０】
尚、音声出力装置（３）と音声入力装置（４）とでハンズフリーユニットを形成させて、通信制御装置（８）及び通信装置（９）を用いて通話を行なえるようにしてもよい。
また、音声入力装置（４）、音声プロセッサ（１−８）及び音声認識処理とを組み合わせることで、運転者が同乗者と会話中か否かを検出する会話検出手段や、運転者の発する音声を使って運転者の状況を検出する状況検出手段として機能させてもよい。
【００２１】
入力装置（５）は、目的地を設定する際に電話番号や地図上の座標などにて入力したり、目的地までの経路探索や経路案内を要求（リクエスト）するために使用される。また、入力装置（５）は、運転者情報を運転者が入力する場合や、エージェント機能の使用を開始する場合のトリガとしてとして使用される。さらに入力装置（５）は、エージェント機能による、エージェントとのコミュニケーションにおいて、エージェントからの問い合わせ等に対して運転者が応答するための１つの応答手段としても機能するようになっている。
入力装置（５）には、タッチパネル（スイッチとして機能）、キーボード、マウス、ライトペン、ジョイスティックなどの各種の装置が使用可能である。
また、赤外線等を利用したリモコンと、リモコンから送信される各種信号を受信する受信部を備えてもよい。
リモコンには、画面上に表示されたカーソルの移動操作等を行なうジョイスティックの他、メニュー指定キー（ボタン）、テンキー等の各種キーが配置される。
また、上記の音声入力装置（４）を使った音声認識を入力装置の代わりに使用しても良い。
【００２２】
中央処理装置（１）は、入力装置Ｉ／Ｆ部（１−９）を介して入力装置（５）から受け取った内容を使ってＣＰＵ（１−１）が運転者による入力操作中か否かを検出すること、又は／及び音声認識結果を併用して各種機器の操作状況を検出する機能（機器操作状況検出手段）を備えるようにしてもよい。
【００２３】
図３は、各種状況検出装置（６）の構成を表したブロック図である。
各種状況検出装置（６）は、現在位置検出装置（６−１）と、交通状況情報受信装置（６−２）と、運転操作等の状況を検出するためにブレーキ検出器（６−３）と、サイドブレーキ（パーキングブレーキ）検出器（６−４）と、アクセル開度検出器（６−５）と、Ａ／Ｔのシフト位置検出器（６−６）と、ワイパ検出器（６−７）と、方向指示器検出器（６−８）と、ハザード検出器（６−９）と、イグニッション検出器（６−１０）を備えている。
【００２４】
現在位置検出装置（６−１）は、車両の絶対位置（緯度、経度による）を検出するためのものであり、人工衛星を利用して車両の位置を測定するＧＰＳ（Ｇｌｏｂａｌ　Ｐｏｓｉｔｉｏｎｉｎｇ　Ｓｙｓｔｅｍ）受信装置（６−１−１）と、ＧＰＳの補正信号を受信するデータ送受信装置（６−１−２）と、方位センサ（６−１−３）と、舵角センサ（６−１−４）と、距離センサ（６−１−５）等が使用される。
ＧＰＳ受信装置（６−１−１）は単独で位置測定が可能であるが、ＧＰＳ受信装置（６−１−１）による受信が不可能な場所では、方位センサ（６−１−３）、舵角センサ（６−１−４）及び距離センサ（６−１−５）の少なくとも１つ用いた推測航法によって現在位置を検出するようになっている。また、データ送受信装置（６−１−２）を用いてＧＰＳの補正信号を受信することでＧＰＳ受信装置（６−１−１）による位置検出の精度を上げることができる。
方位センサ（６−１−３）は、例えば、地磁気を検出して車両の方位を求める地磁気センサ、車両の回転角速度を検出しその角速度を積分して車両の方位を求めるガスレートジャイロや光ファイバジャイロ等のジャイロ、左右の車輪センサを配置しその出力パルス差（移動距離の差）により車両の旋回を検出することで方位の変位量を算出するようにした車輪センサ、等が使用される。
舵角センサ（６−１−４）は、ステアリングの回転部に取り付けた光学的な回転センサや回転抵抗ボリューム等を用いてステアリングの角度αを検出する。
距離センサ（６−１−５）は、例えば、車輪の回転数を検出して計数し、または加速度を検出して２回積分するもの等の各種の方法が使用される。
距離センサ（６−１−５）と舵角センサ（６−１−４）は運転操作状況検出手段としても機能する。
【００２５】
交通状況情報受信装置（６−２）は、道路の混雑状況等を検出するためのものである。
交通情報受信装置（６−２）は、路上に配置されたビーコンから情報を受信するビーコン受信装置（６−２−１）と、ＦＭ放送電波を用いて情報を受信する装置（６−２−２）等が使用され、これらを用いて交通情報センターから渋滞情報や、交通規制情報等を受信する。
また、ビーコン受信装置（６−２−１）を現在位置検出手段として、現在位置検出装置（６−１）と併用してもよいものとする。
【００２６】
ブレーキ検出器（６−３）は、フットブレーキが踏み込み状態か否かを検出する。
サイドブレーキ（パーキングブレーキ）検出器（６−４）は、運転者がサイドブレーキを操作中か否か、及びサイドブレーキの状態（ＯＮかＯＦＦか）を検出する。
アクセル開度検出器（６−５）は、運転者がアクセルペダルをどれぐらい踏み込んでいるかを検出する。
シフト位置検出器（６−６）は、運転者がＡ／Ｔのシフトレバーを操作中か否か、及びシフトレバー位置を検出する。
ワイパ検出器（６−７）は、運転者がワイパを使用しているか否かを検出する。
【００２７】
方向指示器検出器（６−８）は、運転者が方向指示器の操作中であるか否か、及び方向指示器が点滅中か否かを検出する。
ハザード検出器（６−９）は、運転者がハザードを使用している状態か否かを検出する。
イグニッション検出器（６−１０）は、イグニッションスイッチがＯＮになっているか否かを検出する。
車速の検出には距離センサ（６−１−５）を使用する。
各種状況検出装置（６）は、機器操作状況検出手段としてこれらの他にも、ヘッドランプやルームランプ等のランプ類の操作状況を検出するライト検出センサ、運転者のシートベルト着脱操作を検出するシートベルト検出センサ、その他のセンサを備えている。
【００２８】
図２に示されるように、ＧＰＳ受信装置（６−１−１）と、データ送受信装置（６−１−２）と、交通情報受信装置（６−２）は通信装置Ｉ／Ｆ部（１−１１）に接続され、他は各種入力Ｉ／Ｆ部（１−１０）に接続されている。
【００２９】
通信装置Ｉ／Ｆ部（１−１１）には、他にも通信制御装置（８）が接続できるようになっている。この通信制御装置（８）には、通信装置（９）（各種無線通信機器からなる携帯電話等）が接続されるようになっている。
これらを使って電話回線による通話の他、例えば車内での通信カラオケのために使用するカラオケデータを提供するような情報提供局との通信を行なったりすることもできるようになっている。
カラオケデータを提供する情報提供局の他にも、交通情報を提供する情報基地局との通信や、エージェント処理に用いるシナリオデータを提供する情報提供局と通信を、通信装置（９）と通信制御装置（８）を介して行うことも可能である。
【００３０】
本実施形態において中央処理装置（１）は、通信制御装置（８）を介してシナリオが添付された電子メールを受信することができるようになっている。
また、中央処理装置（１）には、インターネット上のホームページを表示するブラウザソフトを組み込み、ＣＰＵ（１−１）で処理させることが可能であり、通信制御装置（８）を介してホームページからシナリオを含めたデータをダウンロードすることができるようになっている。
なお、通信制御装置（８）は、通信装置（９）と一体になったものを使用してもよい。
【００３１】
また、中央処理装置（１）は、通信Ｉ／Ｆ部（１−１１）を通して車内通信を行なうことで他の車載装置（７）の操作状況を受け取ったり、また、車載装置に対する各種制御を行うようになっている。
例えば、中央処理装置（１）は、各種車載装置（７）であるエアコン装置から、運転者がエアコンの各種スイッチ等を操作中か否かの情報を受け取ったり、設定温度を上げるや、下げるといったようにエアコン装置を制御を行う。また、オーディオ装置から運転者がラジオ、ＣＤプレーヤ、カセットプレーヤー等のオーディオ機器を操作中か否か、及びオーディオ機器による音声が出力中か否かの情報を受け取ったり、出力音量を上げるや、下げるといったようにオーディオ装置の制御を行うようになっている。
【００３２】
外部記憶装置（１０）は、外部記憶媒体駆動部（１０−１）とその外部記憶媒体（１０−２）を備えている。外部記憶装置（１０）は、ＣＰＵ（１−１）からの指示で外部記憶装置制御部（１−１２）による制御のもとで外部記憶媒体（１０−２）からデータやプログラムの読み込み、及び外部記憶媒体（１０−２）へのデータやプログラムの書き込みを行うようになっている。
外部記憶媒体（１０−２）には、例えば、フロッピーディスク、ハードディスク、ＣＤ−ＲＯＭ、ＤＶＤ−ＲＯＭ、光ディスク、磁気テープ、ＩＣカード類、光カード等の各種記憶媒体が使用され、使用する媒体ごとにそれぞれの外部記憶媒体駆動装置（１０−１）が使用される。
【００３３】
外部記憶装置（１０）は、システムにおいて複数個所持してもよいものとする。例えば、収集した個人情報である、運転者情報データ（１０−２−３−６：図６参照）と、学習項目データ及び応答データ（１０−２−３−７）を持ち運びが容易なＩＣカードやフロッピーディスクで構成し、その他のデータをＤＶＤ−ＲＯＭで構成するといった例が考えられる。こうすることで、他の車両を運転する場合にこれらを記憶させたＩＣカードからデータを読み出させて使用し、自分が過去に応対した状況を学習した状態のエージェントとコミュニケーションすることが可能になる。つまり、車両毎のエージェントではなく、運転者毎に固有な学習内容のエージェントを車両内に出現させることが可能になる。
また、シナリオデータ＋シナリオで使用する画像データ（１０−２−３−４）を一例としてＤＶＤ−ＲＯＭで持つ構成にした場合でも、ＩＣカードを使って追加することも可能になっている。
これにより、ユーザ各自にとって固有のオリジナルシナリオを加えることが可能である。
【００３４】
ＣＰＵ（１−１）は各種エージェント機能やナビゲーション機能を実現するプログラム（１０−２−１）や、演算処理に使用するエージェントデータ（１０−２−３）とナビゲーションデータ（１０−２−２）を、上記構成例で示すＤＶＤ−ＲＯＭやＩＣカード等から別の外部記憶装置（例えばハードディスク装置等）に格納（インストール）し、この記憶装置から必要なプログラム等をフラッシュメモリ（１−２）に読み込んで（ロードして）実行するようにしてもよいし、演算処理に必要なデータをこの記憶装置からＲＡＭ（１−４）に読み込んで（ロードして）実行するようにしてもよい。
【００３５】
次に、本発明におけるプログラムを含めたＣＰＵ（１−１）で実行されるプログラムの構成について説明する。
図４は、ＣＰＵ（１−１）でプログラムが実行されることにより実現されるエージェント処理部（１０１）と、全体処理部（１０２）との関係を表したものである。
本実施例では、種々のナビゲーション機能を実現する全体処理部（１０２）に、エージェント機能を実現するエージェント処理部（１０１）を加えることでエージェント機能付きナビゲーション装置を実現する構成になっている。
【００３６】
エージェント処理部（１０１）と全体処理部（１０２）は、互いの処理データをやり取りするためのＩ／Ｆ部をそれぞれが持っており、互いの処理データを取得し合えるようになっている。
例えば、エージェント処理部（１０１）は、シナリオデータに従って運転者とのコミュニケーションを実行した結果、運転者が設定したい目的地データを取得した場合に、このデータを全体処理部（１０２）に供給するようになっている。全体処理部（１０２）では、取得した目的地データにより経路探索をし、作成した走行経路データに基づく経路案内を行なう。この経路案内処理において、画像や音声による進路変更方向等の案内を行なう場合に、案内に必要なデータを全体処理部（１０２）からエージェント処理部（１０１）に供給し、走行経路案内をするシナリオをデータ化したシナリオデータに従ってエージェントが案内することも可能である。
【００３７】
図５は、エージェント処理部（１０１）の構成を表したものである。
エージェント処理部（１０１）は、シナリオ駆動部（１０１−１）と、自律起動判断部（１０１−２）と、学習部（１０１−３）と、キャラクタ心理部（１０１−４）と、描画部（１０１−５）と、音声出力部（１０１−６）と、音声認識部（１０１−７）と、エージェントＯＳ部（１０１−８）と、外部Ｉ／Ｆ部（１０１−９）とを備えている。
シナリオ駆動部（１０１−１）は、外部記憶媒体（１０−２）からシナリオデータ（１０−２−３−４）を読み込みそのシナリオデータに基づいて各処理部にメッセージ通信等を使って指示（各処理部が提供する機能を使用）する。シナリオ駆動部（１０１−１）は、シナリオの実行を管理し運転者に各種エージェント機能を提供するといったエージェント処理部の中心的な処理を行う。
【００３８】
自律起動判断部（１０１−２）は、シナリオデータ（１０−２−３−４）にある各シナリオの自律起動条件データを保持し、エージェントＯＳ部（１０１−８）からだされる定期的な自律起動判断指示により、時間、位置、状態等の各種条件と各種状況との比較、判断を行なっている。
条件が一致した場合に、自律起動判断部（１０１−２）はシナリオ駆動部（１０１−１）に対し、条件が一致したシナリオの実行要求の指示を出す。
自律起動条件と比較するための各種状況はエージェントＯＳ部（１０１−８）及び学習部（１０１−３）から入手している。
また、定期的な自律起動判断指示以外にも、状況の変化が大きいとされる場合は、エージェントＯＳ部から自律起動判断指示が出されるので、自律起動判断部（１０１−２）は、自律起動判断処理を行なうようになっている。状況の変化が大きいとされる場合とは、例えば運転者が目的地設定を行なった場合、ナビゲーション機能による走行案内経路をはずれた場合、シナリオデータが追加された場合、シナリオデータが削除された場合等がある。
【００３９】
図５において、学習部（１０１−３）は、エージェントとのコミュニケーションにおいて運転者の選択や応答によって入手した項目（実行結果や実行履歴）を運転者情報データ（１０−２−３−６）や、学習項目データ及び応答データ（１０−２−３−７）として格納する。学習部（１０１−３）は、シナリオが異なるシーンで終了する場合の終了の仕方を示すエンドＩＤも入手して応答データ（１０−２−３−７）として格納する。これら入手した項目は、ＲＡＭ（１−４）上に格納されているが、外部記憶媒体（１０−２）であるＩＣカード等にも出力できるようになっている。
また、学習部（１０１−３）は、エージェントＯＳ部（１０１−８）から状況の変化を入手して運転操作に関する情報を記録する。例えば、運転者による乗車時間帯や、乗車頻度等の各種状況を判断するために、電源ＯＮ（イグニッションＯＮ）の日時を過去１０回分記憶しておいたりもする。格納された情報は、例えばシナリオ駆動部（１０１−１）に提供されシナリオの展開に変化を与えるために使用されたり、自律起動判断の比較に使用されたりする。
なお、また、本実施形態における学習部（１０１−３）は、運転者情報の保持・参照も兼務しているが、運転者情報部として独立させてもよい。
【００４０】
キャラクタ心理部（１０１−４）は、エージェントＯＳ部（１０１−８）が管理している現在状況を入手し、メンタルモデル変更条件データに基づき、キャラクタの心理状態を表す５つのパラメータを自律的に変更する。
キャラクタの心理状態は、元気、友好、従順、自信、モラルの各パラメータで表され、各パラメータは例えば０〜１００の値で表わされるようになっている。各パラメータは、車両状況（車両自体の状況、運転者の応答や反応、同乗者の有無、対向車等を含む車両の状況）の判断と学習をし、各時点での車両状況から、記憶された各パラメータの値を変化させるようになっている。例えば、運転者からのねぎらいの言葉が認識された場合には友好のパラメータの値が１上昇する等、段階的に変化するようになっている。
また、シナリオ駆動部からの指示でもキャラクタの心理状態を表す５つのパラメータを変化させる。
さらに、キャラクタ心理部（１０１−４）は、この５つのパラメータを使用して、キャラクタの心理状態を判断する。判断された心理状態は、例えばシナリオ駆動部（１０１−１）に提供されシナリオの展開に変化を与えるために使用されたり、描画部に提供されキャラクタの各種行動（動作）に変化を与えるために使用されたりする。
【００４１】
描画部（１０１−５）は、シナリオ駆動部（１０１−１）からの指示で選択ボタンやタイトル等のパーツから構成される画面を表示するための制御信号を作成する。また、シナリオ駆動部（１０１−１）からの指示でキャラクタの各種行動（動作）を表示するための制御信号も作成する。
本実施形態では、これらはエージェントＯＳ部（１０１−８）に伝わり外部Ｉ／Ｆ部（１０１−９）から全体処理部（１０２）に伝わり、全体処理部（１０２）内にある画像プロセッサへの指示を行なう処理部を通して画像プロセッサ（１−６）へ伝わり画像処理を施し表示装置（２）に表示されるが、全体処理部（１０２）を通さずにエージェントＯＳ部（１０１−８）において画像プロセッサへの指示を行なう処理部を持たせるようにしてもよい。
【００４２】
音声出力部（１０１−６）は、シナリオ駆動部（１０１−１）からの指示でエージェントが運転者とコミュニケーションを行なう際の台詞を出力するための制御信号を作成する。また、シナリオ駆動部（１０１−１）からの指示で各種効果音を出力するための制御信号も作成する。
本実施形態では、これらはエージェントＯＳ部（１０１−８）に伝わり外部Ｉ／Ｆ部（１０１−９）から全体処理部（１０２）に伝わり、全体処理部（１０２）内にある音声プロセッサへの指示を行なう処理部を通して音声プロセッサ（１−８）へ伝わり、この音声出力制御信号をアナログ信号に変換して音声出力装置（３）に出力されるが、全体処理部（１０２）を通さずにエージェントＯＳ部（１０１−８）において音声プロセッサへの指示を行なう処理部を持たせるようにしてもよい。
【００４３】
描画部（１０１−５）と、音声出力部（１０１−６）をまとめて、描画兼音声出力部としてもよいものとする。
本実施形態では描画兼音声出力部としている。
【００４４】
音声認識部（１０１−７）は、シナリオ駆動部（１０１−１）からの指示により、全体処理部（１０２）中の音声認識処理部に音声認識辞書を作成させるための制御信号を発する。また、音声認識部（１０１−７）は、シナリオ駆動部（１０１−１）からの指示で音声認識処理を開始させたり停止させたりする制御信号も発する。
本実施形態では、これらはエージェントＯＳ部（１０１−８）に伝わり外部Ｉ／Ｆ部（１０１−９）から、全体処理部（１０２）内にある音声認識処理部に伝えられる。
この音声認識処理部は、音声認識処理を開始する指示及び停止する指示を、音声プロセッサ（１−８）に伝え、音声プロセッサは音声入力装置（４）から入力されたアナログ信号をデジタルの音声入力信号に変換する処理を行なうことになっている。
音声入力信号が入力されると、音声認識処理部は、前記デジタルの音声入力信号を取得し、それをもとに音声認識処理部は認識処理を行ない、その結果は先ほどの経路と逆の流れで音声認識部（１０１−７）に伝えられる。音声認識部（１０１−７）は、音声認識結果をシナリオ駆動部（１０１−１）に通知する。
【００４５】
エージェントＯＳ部（１０１−８）は、時間、場所、各種入力等の状況の変化（シナリオの追加も含む）を取得して現在の状況を管理し、状況の変化に対して必要に応じてメッセージ通信にて各処理部に通知する。状況の変化は、外部Ｉ／Ｆ部（１０１−９）を通して全体処理部（１０２）から供給されたり、問い合わせたりして入手する。
入手される情報は、各種状況検出装置（６）による検出結果等を、各種入力Ｉ／Ｆ部（１−１０）と、通信Ｉ／Ｆ部（１−１１）より取り込みＲＡＭ（１−４）に書き込まれたものである。入力装置（５）を使って入力された内容も、外部Ｉ／Ｆ部（１０１−９）を通して全体処理部（１０２）から供給され、その内容を必要に応じてメッセージ通信にて各処理部に通知する。
また、他にも各種のライブラリを持っており、各処理部の間でデータのやり取りなどを行なうメッセージ通信の提供、時間に関する処理を行ないタイマーの役割をして特定時間の経過通知、及び現在時刻の提供、メモリの管理を行ない各処理部が処理を行なう際に必要なメモリの提供、外部記憶媒体からのデータ読み込みや書き込み機能の提供などを行なう。
【００４６】
エージェントＯＳ部（１０１−８）は、自律起動判断部（１０１−２）に対して、定期的に自律起動判断指示を出すようになっている。この定期的な自律起動判断指示は、所定時間毎に出される。所定時間としては、定期的に出される自律起動判断指示によって定期的に処理される自律起動判断処理が、中央処理装置（１）全体の他の処理に影響しない範囲でできるだけ短い時間であることが望ましく、本実施形態では５秒間隔に設定されている。この所定時間は入力装置（５）からの操作によってユーザーが当該所定時間を任意に変更することができるようにしてもよい。
また、エージェントＯＳ部（１０１−８）は、状況の変化が大きいと判断された場合にも、自律起動判断部（１０１−２）に対して、定期的に自律起動判断指示を出すようになっている。状況の変化が大きいとされる場合とは、例えば運転者が目的地設定を行なった場合、案内経路から車両がはずれた場合、シナリオデータが追加された場合、シナリオデータが削除された場合等であり、あらかじめ該当する項目が規定されＲＡＭ（１−４）等に記憶されている。
【００４７】
外部Ｉ／Ｆ部（１０１−９）は、エージェント処理部（１０１）と全体処理部（１０２）との間でインターフェースになっている（全体処理部（１０２）には受け手であるエージェントＩ／Ｆ部が存在する）。エージェント処理において利用するナビゲーション情報等各種情報の取得と、エージェント処理部から全体処理部に制御信号を伝えてナビゲーションを制御したりする。
この外部Ｉ／Ｆ部（１０１−９）を通して全体処理部（１０２）に通知して行なっている、画像プロセッサ（１−６）への描画指示や、音声プロセッサ（１−８）への音声出力指示、入力装置Ｉ／Ｆ部（１−９）からの入力情報の取得等、他プロセッサ及びＩ／Ｆ部への指示を行なう処理部をエージェント処理部に持たせ直接指示をしたり情報を取得したりするようにしてもよい。
【００４８】
図４における全体処理部（１０２）は、図示しないが地図描画部、経路探索部、経路案内部、現在位置計算部、目的地設定操作制御部等からなりナビゲーションの信号出力処理を行なうアプリケーション部、及び地図表示や経路案内に必要な表示出力制御、音声案内に必要な音声出力制御を行なうためのプログラム等のＯＳ部等で構成されている。
また、この全体処理部（１０２）には音声認識を行なう処理部、テキストデータを音声データに変換する処理部も存在する。ブラウザ機能やメール機能を追加する場合の当該処理部はこの全体処理部（１０２）に追加される。
しくは、エージェント処理部（１０１）がブラウザ機能やメール機能を持つような構成にしてもよい。
また、本実施形態ではエージェント処理を実行するための拡張機能が全体処理部（１０２）に加えられている。この拡張機能には、例えばナビゲーションデータの中にある道路データと現在位置から、走行中の道路の種別（高速道路、国道、等）を検出する手段や走行中の道路のカーブ状況（カーブ手前、カーブ終了）を検出する手段等が存在する。
【００４９】
次に、外部記憶媒体（１０−２）に格納されているデータ構成（プログラムを含む）について説明する。
図６は、外部記憶媒体（１０−２）に集録されている情報を概念的に表したものである。
外部記憶媒体（１０−２）には本実施形態による各種エージェント機能やナビゲーション機能を実現するプログラム（１０−２−１）、及び必要な各種データとして、エージェントデータ（１０−２−３）とナビゲーションデータ（１０−２−２）が格納されている。
ナビゲーションデータ（１０−２−２）は、地図描画、経路探索、経路案内、目的地設定操作等に必要な各種データで構成されている。例としては、経路案内に必要な地図データ（道路地図、住宅地図、建造物形状地図等）、交差点データ、ノードデータ、道路データ、写真データ、登録地点データ、目的地点データ、案内道路データ、詳細目的地データ、目的地読みデータ、電話番号データ、住所データ、その他のデータのファイルからなりナビゲーション装置に必要なすべてのデータが記憶されている。また、必要に応じて通信地域データ等も記憶される。
【００５０】
描画地図データは、表示装置（２）に描画される描画地図データであり、この描画地図データは、階層化された地図、例えば最上位層から日本、関東地方、東京、神田といった階層ごとの地図データが格納されている。各階層の地図データは、それぞれ地図コードが付されている。
交差点データは、各交差点を特定する交差点番号、交差点名、交差点の座標（緯度と経度）、その交差点が始点や終点になっている道路の番号、および信号の有無などで構成されている。
ノードデータは、各道路における各地点の座標を指定する緯度、経度などの情報から構成されている。すなわち、このデータは、道路上の一地点に関するデータであり、ノード間を接続するものをアークと呼び、複数あるノード列のそれぞれの間をアークで接続することによって道路が表現される。
道路データは、各道路を特定する道路番号、始点や終点となる交差点番号、同じ始点や終点を持つ道路の番号、道路の太さ、進入禁止等の禁止情報、後述の写真データの写真番号などで構成されている。
写真データは、各交差点や直進中に見える特徴的な風景等を撮影した写真が、その写真番号と対応してデジタル、アナログ、またはネガフィルムの形式で存在する。
【００５１】
通信地域データは、通信制御装置（８）に接続され又は無接続で車内において使用される通信装置（９）である携帯電話が、車内から通信できる地域を表示装置（２）に表示したり、その通信できる地域を経路探索の際に使用したりするための通信地域データが、携帯電話のタイプ別に存在する。
エージェントデータ（１０−２−３）は、メンタルモデルデータ（１０−２−３−１）と、お勧め提案データ　（１０−２−３−２）と、知識データ（１０−２−３−３）と、シナリオデータ及びシナリオで使用する画像データ（１０−２−３−４）と、キャラクタデータ（１０−２−３−５）と、運転者情報データ（１０−２−３−６）と、学習項目データ及び応答データ（１０−２−３−７）と、で構成されている。
【００５２】
メンタルモデルデータ（１０−２−３−１）は、キャラクタの心理状態を表す５つのパラメータ（友好度，従順度，自信度，モラル，元気度）及びメンタルモデル変更条件データとで構成されている。メンタルモデル変更条件データは、前記の各パラメータの指数を増減する条件と、変化するパラメータ及びその変化の度合いが記されたものである。このテーブルに従って、各パラメータが増減しキャラクタの心理状態を表している。
お勧め提案データ（１０−２−３−２）は、運転者にお勧め情報としてレストラン等を提案する場合に使用する。このお勧め提案データ（１０−２−３−２）にはレストラン名称、読み上げデータ、レストランのジャンルデータ、雰囲気データ、料金データ、地点データ、…等で構成され運転者情報データ（１０−２−３−６）及び知識データ（１０−２−３−３）を基にして運転者にお勧めのレストランを検索して提案したりする。
レストラン以外にも観光地、休憩場所などが存在する。
知識データ（１０−２−３−３）は、統計データを基に年齢、性別による好みの傾向や、同乗者の有無によるシチュエーションによる選択傾向、場所による名産等を含んだ選択傾向、時期や時間による選択傾向をデータ化したものである。レストランの選択傾向、観光地の選択傾向、休憩場所の選択傾向、…等さまざまな選択傾向が存在する。
シナリオデータ及びシナリオで使用する画像データ（１０−２−３−４）は、エージェントが運転者とのコミュニケーションを取ったりする時の、状況に応じたエージェントの行為や質問内容、どういった状況において自律的にエージェントから情報提供を行なうのかといった条件等が規定されている。詳細は後述する。
【００５３】
図７はキャラクタデータの内容を概念的に表したものである。
キャラクタデータ（１０−２−３−５）には、複数のキャラクタのデータが格納されており、運転者の好みによって入力装置（５）等から選択することができるようになっている。
キャラクタデータ（１０−２−３−５）は、キャラクタ画像データと、キャラクタ音声データと、キャラクタによらない統一の指示に対する各キャラクタの表現方法への変換テーブル（キャラクタ画像選択ＤＢ）とを備えている。
キャラクタ画像データは、シナリオにより指定された各シーンで表示されるキャラクタの状態を表す静止画像や、動作を表す動画（アニメーション）等が格納されている。例えば、キャラクタがお辞儀をする動画、うなずく動画、右手を挙げる動画等が格納されている。これらの各静止画像や動画には画像コードが付けられている。
【００５４】
キャラクタ画像データとして使用するエージェントの容姿としては、人間（男性、女性）的な容姿である必要はない。例えば、非人間型のエージェントとして、タコや、ひよこ、犬、猫、カエル、ネズミ等の動物自体の容姿や、人間的に図案化（イラスト化）した動物の容姿であってもよく、更にロボット的な容姿や、フロアスタンドや木などの容姿や、特定のキャラクタの容姿等であってもよい。またエージェントの年齢としても一定である必要がなく、エージェントの学習機能として、最初は子供の容姿とし、時間の経過と共に成長していき容姿が変化していく（大人の容姿に変化し、更に老人の容姿に変化していく）ようにしてもよい。
【００５５】
キャラクタ音声データは、選択されたシナリオのシーンに従って、エージェントが運転者と会話等を行うための音声データが格納されている。
エージェントによる会話の音声データは、エージェントが運転者情報を収集するための質問をするための音声データも格納されている。例としては、「こんにちは」、「よろしくね」、「またね」等が格納されている。
これらの各音声には音声コードが付けられている。
【００５６】
キャラクタによらない統一の指示に対する各キャラクタの表現方法への変換テーブル（キャラクタ画像選択ＤＢ）は、選択されたシナリオのシーンにおいて、エージェントによらない統一の指示形態でエージェントへの動作の指示を規定された内容を各キャラクタの動作に変換するためのテーブルである。この変換テーブルを用いることにより、同じ表現したい状態に対してキャラクタによって異なる動作だったとしても共通の動作指示ができるようになる。
例えば、日本人の日向えりの場合、「出会いの挨拶をする」という指示は「お辞儀をする」と規定されており、「話を聞く」という指示は「右手を耳にあてる」と規定されている。
これが欧米人のレディーの場合「出会いの挨拶をする」という指示は「右手を顔の横まで上げる」と規定されているし、ロボットのｉ−ｂａｌｌの場合「出会いの挨拶をする」という指示は「頭部メイン画面上をレーザースキャンが上下に移動する」と規定されている。
【００５７】
図８は、運転者情報データを概念的に示したものである。
運転者情報データ（１０−２−３−６）は、運転者に関する情報で、エージェントのコミュニケーションをより運転者の希望や趣味、嗜好に合ったものとするために利用される。
運転者情報データ（１０−２−３−６）には、運転者毎に情報を格納するための運転者のＩＤ（識別情報）、名前、年齢、性別、結婚（既婚か未婚か）、子供の有無と人数と年齢からなる運転者基礎データや、趣味嗜好データとが格納されるようになっている。
趣味嗜好データとしては、スポーツ、飲食、旅行等の大項目と、これら大項目の概念に含まれる詳細項目とから構成されている。例えば、大項目スポーツには、野球が好きか嫌いか、サッカーが好きか嫌いか、ゴルフが好きか嫌いか等のデータが格納されるようになっている。
本実施形態では、これらの各運転者情報には優先順位が決められており、エージェントは、未だ格納されていない運転者情報のうち優先順位が高い順に運転者に質問をするようになっている。運転者基礎データは、趣味嗜好データよりも優先順位が高くなっている。
【００５８】
運転者情報データ（１０−２−３−６）は、その車両を運転する運転者が複数存在する場合には、運転者毎に作成される。そして、運転者を特定して該当する運転者情報が使用される。
運転者の特定は、例えば、電源オン時に、全運転者に共通するエージェントが登場して運転者の問い合わせをし、その回答から特定する。運転者の問い合わせは、入力済み運転者の氏名とその他を選択するボタンを表示装置に表示し、選択を促す音声を出力する。その他が選択された場合には新規ユーザ登録画面を表示する。
なお、体重、運転席（シート）の固定位置（前後位置、背もたれの角度）、ルームミラーの角度、視線の高さ、顔写真をデジタル化したデータ、音声の特徴パラメータＩＤカード等といった運転者固有の情報を少なくとも１つ運転者情報データ（１０−２−３−６）に格納しておき、これらの情報から運転者を特定するようにしてもよい。
【００５９】
図６における学習項目データ及び応答データ（１０−２−３−７）は、エージェントとのコミュニケーションにおいて運転者の選択や応答によってエージェントが学習した結果を格納するデータである。
従って、学習項目データ及び応答データ（１０−２−３−７）は、運転者毎にそのデータが格納・更新（学習）されるようになっている。
例えば、シナリオの使用状況として前回の選択結果や前回使用した日時、通算の使用回数等が格納される。
この学習内容に従って、例えば、毎回ナビ電源ＯＮ時に挨拶をするシナリオにおいて、前回使用から５分以内の場合に「つい先ほどにもお会いしましたね」と対応したり、逆に１ヶ月以上間があいている場合には「お久しぶりですね」と対応したりする。
【００６０】
また、どの球団のファンであるか質問した結果の回答（無回答という対応も含めて）を格納したりもする。この応答の結果によって無回答の場合はもう一度どの球団のファンか質問したり、特定の球団が記憶されている場合はその球団についての会話を行なったりと対応を変えることができる。
無回答という対応の判定方法の例としては、質問を行なうシーンにおいてタイマーを設定し一定時間の間入力が無い状態を無回答とする事があげられる。
【００６１】
次にシナリオデータ（１０−２−３−４）の構成について説明する。
図９は、実機形式シナリオデータの構成を表したものである。
シナリオデータ（１０−２−３−４）は、複数のシナリオで構成されており、それらを管理するためのデータと、個々のシナリオの内容を示すデータとで構成されている。
集録シナリオの管理データには、このシナリオデータの有効期限、作成された日や作成者等といった情報と、シナリオデータに収録されている個々のシナリオを全体的に管理するためのデータと、シナリオファイルに収録されているシナリオの自律起動条件データと、シナリオファイルに収録されているシナリオの中で運転者が入力装置（５）等を使って起動させることができるシナリオ一覧データが記されている。
【００６２】
個々のシナリオの内容を示すデータには、それぞれのシナリオを管理するデータと、シナリオを構成する個々のシーンの内容を示すシーンデータとで構成されている。
それぞれのシナリオを管理するデータには、シナリオに関する情報と、このシナリオで使用する音声認識辞書を作成するためのテキスト情報と、シナリオを構成する各シーンデータを全体的に管理するためのデータが記されている。
【００６３】
シーンデータは、シーンを管理するデータと、画面構成データと、キャラクタ動作データと、各種処理データと、展開管理データとで構成されている。
シーンを管理するデータには、そのシーンに関する情報とシーンデータに属する各データセクションを管理するデータが記されている。
画面構成データには、このシーンにおいて表示装置（２）に表示する画面構成の各パーツのデータ（大きさや表示位置等）が記されている。
キャラクタ動作データには、このシーンにおいてキャラクタが行なう動作の指示データと、話す内容に関する指示データが記されている。動作の指示データには、シナリオデータで直接各キャラクタの表現手段で指示するものと、キャラクタに表現させたい状態で指示するものの２種類のうちどちらかで指示データが記されている。
【００６４】
各種処理データには、このシーンにおいて外部機器を制御（処理をさせる）する情報や、ナビゲーションを制御する情報や、他のシナリオを実行する指示や、タイマー設定情報や、キャラクタ心理を示すメンタルモデルのパラメータを変化させる情報等が記されている。
外部機器とは通信Ｉ／Ｆ部（１−１１）に接続されている各機器等があり、例えば通信制御装置がある。制御する内容は、特定の電話番号に電話をかけるや、通話を切断する等がある。
ナビゲーションの制御内容には、例えばこの地点を目的地に設定するといったものが存在する。
メンタルモデルのパラメータを変化させる指示としては、友好度を１減少する等がある。
【００６５】
展開管理データには、このシーンで何かイベントが発生した場合に、シナリオを終了するのか、次に進むシーンが何であるか、もしくは何も展開しないのか、といった情報が記述されている。
ここでいうイベントとは、シーンの展開を次に進めるためのもので規定された何らかのアクションを示している。例えばキャラクタの台詞が終了した、設定しておいた時間が経過した、運転者がこのシーンで質問した内容に対して何らかの回答を選択した（例えば「はい」ｏｒ「いいえ」の質問に「はい」と答えた）、等が存在する。
このイベントに加えて学習した結果によって展開を変えることもできる。
例えば、質問に対し運転者が「はい」を選択した場合で通算使用回数が１０回未満の時といった使い方ができる。
学習した結果のほかに、日時、メンタルモデルを使ったキャラクタの心理状態、運転者情報、等も使用して展開を変えることもできるようになっている。
【００６６】
次に、以上のように構成されたエージェント装置による、シナリオの実行動作について説明する。
図１０は、シナリオのシーンデータに基づいて表示装置（２）に表示されるシーン画面の一例を表したものである。
この図１０に示されるシーン画面は、未入力の運転者情報である趣味嗜好（食事）を取得するために運転者から質問をする質問シナリオのシーン画面（シーン番号０ｘ０００１）である。
シーン画面は、図１０に示されるように、エージェントの画像（静止画、動画）が表示されるエージェント表示画面５１、エージェントの音声に対応した文字が表示される吹き出し画面５２、タイトル画面５３、及び、各シーン固有の画像データ（実画像データの画像や回答選択ボタン等）が表示されるシーン表示画面５４から構成されている。
【００６７】
エージェント処理部（１０１）のシナリオ駆動部（１０１−１）は、趣味嗜好（食事）の質問シナリオを起動すると、最初にシーンヘッダで指定されるシーンの画面構成データをシナリオデータ＋画像（１０−２−３）から読み出してシーン画面を表示装置（２）表示すると共に、質問文に相当する質問音声を音声出力装置（３）から出力するようになっている。
図１０（ａ）の質問シナリオのシーン画面では、吹き出し画面５２に「どのジャンルの食事が好きですか？」と表示される。なお、吹き出し画面５２の表示に対応する音声が音声出力装置（３）から出力されるようになっている。
また、図１０（ａ）のシーン画面におけるシーン表示画面５４には、４つの回答選択ボタン５４ａの「和食」、「洋食」、「中華」、「特に無し」が表示されている。
【００６８】
この運転者に対する質問のシーンには、運転者の回答に応じた複数のシーンが分岐して続くようになっている。各シーンの分岐および続くシーンの特定については、各シーンの展開管理データに従って、運転者の回答に応じて決定される。すなわち、図１０（ａ）のシーン画面（シーン番号０ｘ０００１）で運転者が回答選択ボタン「和食」を選択すると、シナリオ駆動部（１０１−１）は、回答に応じたシーン画面（ｂ）に分岐して表示される。このシーン画面（ｂ）では、選択された「和食」がタイトル画面５３に表示されると共に、吹き出し画面には「和食がすきなのですね。」と表示され、なお、分岐後の和食のシーン画面では、和食の実画像がシナリオデータから読み出され、シーン表示画面５４に表示される。そしてシナリオ駆動部（１０１−１）により、運転者の回答、例えば、「和食」が運転者情報として、運転者情報３０７の趣味嗜好データに格納されるようになっている。
このようにして、シナリオに規定された各シーン画像と音声が最後のシーンまで連続的に順次表示、出力されることで、１シナリオにおけるエージェントの行為が完了することになる。
【００６９】
図１１は、旅館が宿泊予定者に送信した案内シナリオによるシーン画面の遷移を各シーン毎に表したものである。
この案内シナリオは、複数のシーン画面のうち（ａ）〜（ｆ）までのシーン画面が表示されており、シーン画面（ｃ）に対するユーザの選択結果によって次のシーン画面が０ｘ０００４と０ｘ０００６に分岐している。また、図１１の例では分岐していないが、シーン画面（ｄ）においても選択した料理の種類に応じた料理をシーン表示画面５４に表示するようにシーン画面を分岐させるようにしてもよい。
【００７０】
以下図１１に従って予約シナリオによるエージェントの各行為について説明する。
以下の各シーン画面に対応して説明するエージェントの動作や画面の表示はいずれも、外部シナリオのシナリオデータに格納されているデータや画像及び指示に従って表示等されるものである。また、エージェントの動作として説明するが、実際にはエージェント処理部（１０１）のシナリオ駆動部（１０１−１）が処理を行う。
【００７１】
予約シナリオが起動されると、まず番号０ｘ０００１のシーン画面が表示装置（２）に表示される。このシーンでは、エージェント表示画面５１にエージェントが登場し、お辞儀をして音声による挨拶をする。音声による挨拶の内容は、吹き出し画面５２に表示されている文章と同一である。
音声による挨拶は、旅館に代わってエージェントが代行して行うことになるが、旅館の女将の写真画像をシーン表示画面５４に表示することで旅館からの挨拶であることが表現されている。この女将の画像は、外部シナリオの一部として受信し追加した画像で、シナリオデータの実画像データとして格納されている（図６参照）。
エージェントの動作に対する指示は、キャラクタ動作指示データに格納されている指示に従う。
エージェントによる挨拶が終了すると、次のシーン０ｘ００２に遷移する。
【００７２】
次のシーン０ｘ０００２では、シーン表示画面５４に露天風呂の画像が表示される。そして、この露天風呂の絵をエージェントが指し示して、旅館の名物（ここが売りだということ）を、エージェントが音声と吹き出し画面５２の表示で説明する。
エージェントの話が終了すると、次のシーン０ｘ０００３に遷移し、本日の食事の画像（懐石料理の画像）をシーン表示画面５４に表示し、エージェントが料理の説明と、この料理で良いか否かを質問する。なお、シーン表示画面５４には、シナリオの規定内容に従って、懐石料理の画像の他に、ユーザ回答用のボタン５４ａが表示される。
この質問に対する回答としてユーザが「はい」を選択した場合にはシーン０ｘ０００４に分岐し、「いいえ」を選択した場合にはシーン０ｘ０００６に分岐する。
【００７３】
シーン０ｘ０００４では、懐石料理以外の選択可能なリストをシーン表示画面５４に表示する。エージェントは、シーン表示画面５４のリストを指し示して、どの料理が良いかを質問する。
そして、ユーザがいずれか１つを選択したらシーン０ｘ０００５に遷移する。
【００７４】
シーン０ｘ０００５では、懐石料理から変更すべき人数のリストをシーン表示画面５４に表示し、エージェントはこのリストを指し示して、人数の質問をする。
そしてユーザがいずれか１つを選択したらシーン０ｘ０００６に遷移する。
【００７５】
シーン０ｘ０００６では、シーン表示画面５４に旅館の外観写真画像を表示し、エージェントがお辞儀をして挨拶をする。
そして、エージェントは、ユーザが選択してきた結果、図１１の案内シナリオの場合には食事に関する回答結果を、通信制御部２４を介して実行中の外部シナリオを送信した第三者（旅館）に送信する。
このように、ユーザについての情報を取得したい場合には、外部シナリオの作成者は、取得したい情報が得られる質問のシーンをシナリオ中に設け、その回答を電子メールで送信するようにシナリオを作成する。なお、回答の送信が必要な場合には、作成者の電子メールアドレスをシナリオデータ中に含める。
最後のシーン（図１１ではシーン０ｘ０００６）でのエージェントの話が終了すると、シナリオを終了させる。
【００７６】
このようにして、シナリオ駆動部（１０１−１）は、シナリオに規定された各シーン画像と音声を最後のシーンまで順次表示、出力する。
起動したシナリオが終了すると、シナリオ駆動部（１０１−１）は、他のシナリオの実行についての起動条件の判断を行う。
【００７７】
次に、このようなシナリオ駆動部（１０１−１）で実行される各種シナリオを自律的に起動するか否かの判断処理について説明する。
図１２は、自律起動判断部によるシナリオの自律起動判断処理について表したものである。
この自律起動判断処理では、自律起動判断部（１０１−２）が装置の負荷を軽減するために、位置と場所に関する情報を受け取り、その受け取った場所と位置に近似する起動条件を、シナリオデータを保持している外部記憶装置（１０）より読み出し、ＲＡＭ（１−４）に一時的に格納する処理を行う。
すなわち、自律起動判断部（１０１−２）は、今現在置かれている状況情報を取得するため、エージェントＩ／Ｆを介し、エージェントＯＳ（１０１−８）より現在位置、時間などの状況情報を取得する（ステップ１１）。
そして、自律起動判断部（１０１−２）は、取得した位置、時間などの状況情報が所定単位の変化があるか否かを判断する（ステップ１２）。
判断の結果、所定単位の変化がありと判断された場合（ステップ１２；Ｙ）、自律起動判断部（１０１−２）は、その位置と時間などの条件に近似する条件を備えた自律起動条件を外部記憶装置（１０）より読み出し、ＲＡＭ（１−４）に一時的に格納する（ステップ１３）。
そして自律起動判断部（１０１−２）は、読み込まれた自律起動条件を、状況情報が満たしているか否かについての条件判断処理を行う（ステップ１４）。
なお、ステップ１２の判断で所定単位の変化なしと判断された場合（；Ｎ）、予め読み出されていた起動条件を変更する必要がないため、ステップ１４の処理に進む。
【００７８】
図１３は、条件判断処理（ステップ１４）の処理内容を表したものである。
自律起動判断部（１０１−２）は、シナリオデータ（１０−２−３−４）の収録シナリオの管理データから、最初の自律起動条件を取得し（ステップ２１）、ステップ１２で入手した各種状況情報による状況が、取得した自律起動条件を満たしているか否かを判断する（ステップ２２）。
自律起動条件を満たしている場合（ステップ２２；Ｙ）、自律起動判断部（１０１−２）は、その自律起動条件に対応するシナリオの実行要求メッセージを、シナリオ駆動部（１０１−１）に対して発行する（ステップ２３）。
【００７９】
次に自律起動判断部（１０１−２）は、次の自律起動条件がシナリオデータ（１０−２−３−４）にあるか否かを判断し（ステップ２４）、あれば（；Ｙ）、次の自律起動条件を取得し（ステップ２５）、以後ステップ２２〜２５の各処理を全ての自律起動条件に対する判断が終了するまで繰り返す。
ステップ２４において、次の自律起動条件が存在しない場合（；Ｎ）、自律起動判断部（１０１−２）は、自律起動判断処理を終了する。
【００８０】
以上説明したように、本実施形態のエージェント装置によれば、シナリオ作成装置のユーザー（作成ユーザー）が作成したオリジナルのシナリオに組み込まれた自律起動条件を、シナリオの起動条件としてシナリオの実行を開始することができる。
従って、シナリオ作成装置のユーザーに対して、エージェントの登場を含めた各種シナリオを、自分の好みに合わせたタイミングで起動させるようなシナリオを自由に作成する場を提供することができる。
【００８１】
また、本実施形態では５秒間隔で定期的に自律起動判断処理が実行されるようになっているので、各種状況の変化に対してほぼリアルタイムで、条件を満たしたシナリオを起動することが可能になる。
さらに、あらかじめシナリオの起動条件として選択される可能性が高い状況（状況の変化が大きい場合）も自律起動判断処理が実行されるので、定期的な判断処理が開始される前にも自律起動判断処理が実行され、かつ、この場合に該当する（条件を満たす）シナリオが多い。このため、よりリアルタイムに近い状態でシナリオを実行することができる。
【００８２】
また、説明した実施形態によれば、エージェントの行為をシナリオデータで規定すると共に、このシナリオデータを複数の連続するシーンからなるシナリオによって規格化されているので、エージェント装置のユーザ及び第三者が自分でシナリオを作成し、組み込むことができる。
このように装置に予め格納されているデフォルトのシナリオに追加できるので、ユーザは自分に合った追加シナリオをインターネット等で探してダウンロードし、また自分でシナリオを作成することでエージェント装置をより快適に使用することができる。
【００８３】
次に、ユーザや第三者が独自のシナリオを作成するシナリオ作成装置２の構成とその動作について説明する。
図１４は、シナリオ作成装置の構成を表したものである。
シナリオ作成装置は、制御部（２００）と、入力装置（２１０）と、出力装置（２２０）と、通信制御装置（２３０）と、記憶装置（２４０）と、記憶媒体駆動装置（２５０）と、入出力Ｉ／Ｆ（２６０）とを備えている。これら各装置は、データバスや制御バス等のバスラインにより接続されている。
【００８４】
制御部（２００）は、シナリオ作成装置全体を制御する。
シナリオ作成装置はシナリオ編集プログラムの実行だけでなく、その他プログラム類（例えばワープロや表計算等）を実行することもできる。制御部（２００）は、ＣＰＵ（２００−１）と、メモリ（２００−２）等から構成されている。
ＣＰＵ（２００−１）は、種々の演算処理を実行するプロセッサである。
メモリ（２００−２）は、ＣＰＵ（２００−１）が種々の演算処理を実行する際にワーキングメモリとして使用される。
ＣＰＵ（２００−１）は、メモリ（２００−２）にプログラムやデータなどを書き込んだり消去したりすることができる。
本実施の形態におけるメモリ（２００−２）には、ＣＰＵ（２００−１）がシナリオエディタ（シナリオ編集プログラム）に従ってシナリオデータを作成、編集、記憶等するためのエリアが確保可能になっている。
【００８５】
入力装置（２１０）は、シナリオ作成装置に対して文字や数字その他の情報を入力するための装置であり、例えばキーボードやマウスなどにより構成されている。
キーボードは、主にカナや英文字などを入力するための入力装置である。
キーボートは、例えばユーザがシナリオ作成装置にログインするためのログインＩＤやパスワードを入力したり、シナリオ作成の際に音声合成や音声認識の対象となる文を入力したりする際などに使用される。
マウスは、ポインティングデバイスである。
ＧＵＩ（Ｇｒａｐｈｉｃａｌ　Ｕｓｅｒ　Ｉｎｔｅｒｆａｃｅ）などを用いてシナリオ作成装置を操作する場合、表示装置上に表示されたボタンやアイコンなどをクリックすることにより、所定の情報の入力を行なうこと等に使用される入力装置である。
【００８６】
出力装置（２２０）は、例えば表示装置や印刷装置などである。
表示装置は、例えばＣＲＴディスプレイ、液晶ディスプレイ、プラズマディスプレイなどが使用される。
表示装置には、シナリオを作成するためのメイン画面や、各シーンにおける画面構成を選択するための画面等の各種画面が表示される。また、各画面において選択された情報や入力された情報が表示されるようになっている。
印刷装置は、例えば、インクジェットプリンタ、レーザプリンタ、熱転写プリンタ、ドットプリンタなどの各種プリンタ装置が使用される。
印刷装置で印刷するものは、例えば、作成したシナリオの全体の流れをチャート形式で表す図や、各シーンの設定状態を示すものがある。
【００８７】
通信制御装置（２３０）は、外部との間で各種データやプログラムを送受信するための装置であって、モデム、ターミナルアダプタその他の装置が使用される。
通信制御装置（２３０）は、例えばインターネットやＬＡＮ（Ｌｏｃａｌ　Ａｒｅａ　Ｎｅｔｗｏｒｋ）などに接続可能に構成されている。通信制御装置（２３０）は、これらのネットワークに接続した他の端末装置あるいはサーバ装置などと通信によって信号及びデータのやり取りを行なうことで、自装置で作成したシナリオデータを送信したり、第３者が作成したシナリオデータを受信（ダウンロード）したり、更に、シナリオデータの作成に必要なデータを取得したりすることができるようになっている。
通信制御装置（２３０）はＣＰＵ（２００−１）によって制御され、例えば、ＴＣＰ／ＩＰなどの所定のプロトコルに従ってこれら端末装置やサーバ装置との信号及びデータの送受信を行う。
【００８８】
記憶装置（２４０）は、読み書き可能な記憶媒体と、その記憶媒体に対してプログラムやデータを読み書きするための駆動装置によって構成されている。
当該記憶媒体として主にハードディスクが使用されるが、その他に、例えば、光磁気ディスク、磁気ディスク、半導体メモリなどの他の読み書き可能な記憶媒体によって構成することも可能である。
記憶装置（２４０）には、シナリオ編集プログラム（２４０−１）、シナリオ編集データ（２４０−２）、及びその他のプログラム・データ（２４０−３）が格納されている。その他のプログラムとして、例えば、通信制御装置（２３０）を制御し、シナリオ作成装置とネットワークでつながれた端末装置やサーバ装置との通信を維持する通信プログラムや、メモリ管理や入出力管理などのシナリオ作成装置を動作させるための基本ソフトウェアであるＯＳ（Ｏｐｅｒａｔｉｎｇ
Ｓｙｓｔｅｍ）なども記憶装置（２４０）に格納されている。
【００８９】
記憶媒体駆動装置（２５０）は、着脱可能な記憶媒体を駆動してデータの読み書きを行うための駆動装置である。着脱可能な記憶媒体としては、例えば、光磁気ディスク、磁気ディスク、磁気テープ、ＩＣカード類、データをパンチした紙テープ、ＣＤ−ＲＯＭなどがある。
本実施形態では、シナリオ作成装置で作成・編集したシナリオデータ（エージェント装置で使用する形態）は、主としてＩＣカード類に書き込まれるようになっている。
シナリオ作成装置は、記憶媒体駆動装置（２５０）によって記憶媒体を駆動することにより、シナリオデータが格納された記憶媒体からシナリオを取得したり、あるいは、作成したシナリオデータを記憶媒体駆動装置から記憶媒体に格納したりすることができる。
【００９０】
入出力Ｉ／Ｆ（２６０）は、例えば、シリアルインターフェースやその他の規格のインターフェースにより構成されている。
入出力Ｉ／Ｆ（２６０）に当該インターフェースに対応した外部機器を接続することにより、シナリオ作成装置の機能を拡張することができる。このような外部機器として例えば、ハードディスクなどの記憶装置、通信制御装置、スピーカ、マイクロフォンなどがある。
【００９１】
次に、シナリオ編集プログラム（２４０−１）と、シナリオ編集データ（２４０−２）の構成について説明する。
図１５は、シナリオ編集プログラムとデータの構成を概念的に表したものである。
シナリオ編集プログラム（２４０−１）は、シナリオエディタ（２４０−１−１）と、シナリオコンパイラ（２４０−１−２）と、ＤＢ編集ツール（２４０−１−３）が存在する。
シナリオ編集データ（２４０−２）は、共通定義ＤＢ（２４０−２−１）と、ローカル定義ＤＢ（２４０−２−２）と、シナリオエディタで作成したＳＣＥ形式シナリオデータ（２４０−２−３）と、シナリオコンパイラで変換された実機形式シナリオデータ（２４０−２−４）が存在する。
シナリオエディタ（２４０−１−１）は、シナリオデータを作成するアプリケーションプログラムである。
【００９２】
シナリオコンパイラ（２４０−１−２）は、シナリオエディタ（２４０−１−１）で作成されたＳＣＥ形式シナリオデータ（２４０−２−３）を、エージェント装置で使用可能な実機形式シナリオデータ（２４０−２−４）に変換するアプリケーションプログラムで、変換手段として機能する。
図１６は、データ形式の変換を概念提供に表したものである。
この図１６に示されるように、シナリオコンパイラ（２４０−１−２）は、１個以上のＳＣＥ形式シナリオデータ（２４０−２−３）を、１個の実機形式シナリオデータ（２４０−２−４）に変換する。
【００９３】
ＤＢ編集ツール（２４０−１−３）は、共通定義ＤＢ（２４０−２−１）に格納されているデータを編集・更新するためのアプリケーションプログラムである。
共通定義ＤＢ（２４０−２−１）は、シナリオデータを作成する際の定義データが格納される。共通定義ＤＢ（２４０−２−１）には、後述する自律起動判断データ、シーン展開をするアクション項目及び追加判断項目、等が格納される。この共通定義ＤＢ（２４０−２−１）は、シナリオ作成装置の記憶装置ではなく、ローカルエリアネットワーク（ＬＡＮ）でつながっているサーバ上に存在してもよい。こうすることで、ローカルエリアネットワーク（ＬＡＮ）でつながっている各シナリオ作成装置は共通の共通定義ＤＢ（２４０−２−１）を使ってシナリオデータの作成ができる。
ローカル定義ＤＢ（２４０−２−２）は、シナリオ作成者がシナリオデータを作成中に定義した画面構成が格納される。
【００９４】
ＳＣＥ形式シナリオデータ（２４０−２−３）は、シナリオエディタ（２４０−１−１）で作成されたデータである。
実機形式シナリオデータ（２４０−２−４）は、シナリオコンパイラ（２４０−１−３）によってＳＣＥ形式シナリオデータ（２４０−２−３）からエージェント装置で使用するためのデータ形式に変換されたデータである。
【００９５】
図１７は、自動起動項目として設定可能な項目を例示したものである。
この自動起動項目は、エージェント装置で検出、認識、確認可能な各項目の種類のサンプルを概念的に一覧表示したものである。
この自動起動項目は、共通定義ＤＢ（２４０−２−１）に記述されており、シナリオエディタ（２４０−１−１）でシナリオを作成する際に、自律起動条件を設定するために、自動起動項目が共通定義ＤＢ（２４０−２−１）から読み出され、リスト表示される（提示手段）。作成者は、このリスト表示（一覧表示）された中から自動起動項目を選択する（選択手段）。
それぞれ選択された項目の種類に記されている内容によって数値入力を行なうウインドウが表示されたり、一覧から選択するウインドウが表示されたりして自動起動項目の判断条件を入力する。この操作を１又は複数回繰り返しシナリオを自律的に起動するための判断条件である自律起動条件のデータが作成される。
【００９６】
図１８、図１９は、自動起動項目に対して、自律起動条件として選択可能な選択可能項目を例示したものである。
選択可能項目も共通定義ＤＢ（２４０−２−１）に記述されている。図１７に例示した自動起動項目を示したテーブルのうち、種別の欄に一覧から選択と表記された項目について、更に下位の概念として選択可能な項目が、選択可能項目として図１８、図１９に規定されている。選択可能項目に規定されたグループと、自動起動項目の項目とは、一番左側のＮｏ．の項目で対応付けられている。
表には示さないが他にもこれと同様に数値入力に関する定義テーブル等が存在し、時刻の入力ウインドウであったり、走行距離の入力ウインドウであったり、と異なった入力をするウインドウを作成することができるようになっている。
選択された自動起動項目と選択された選択可能項目及び入力された数値や時刻、距離等の組み合わせが、各シナリオに対する自律起動条件となる。例えば、ユーザによる選択が、自動起動項目「加速度」、選択可能項目「急原則状態」である場合、自律起動条件は「加速度−急減速」となる。
なお、本サンプルはあくまでもサンプルであり定義を変更してもよい。
例えば車速入力を一覧から選択にし、１０ｋｍ／ｈ毎に区切られた項目の中から選択する形をとってもよい。
また、エージェント装置において新規にセンシングできる項目が増えた場合には、その項目を追加する事ができる。例えばシートベルト検知センサを組み込んだ場合、一覧から選択という入力手段でシートベルト状態という項目に対し、シートベルト未装着、シートベルトを装着しているといった項目が選択できる定義を組み込むことが考えられる。
これらの変更及び追加は、先に示したＤＢ編集ツール（２４０−１−３）を使って行なう。
また、エージェント心理部からキャラクタの心理状態を入手して自律起動判断に加えてもよい。
この場合も、ＤＢ編集ツール（２４０−１−３）を使って定義データを追加する。例えば、一覧から選択という入力手段で自動起動項目としてキャラクタの心理状態、ブルー（落ち込んでいる）、機嫌がよい、等といった項目が選択できる定義を組み込むことが考えられる。
【００９７】
図２０は、シーンから次のシーンに分岐（シーン展開）をするための分岐項目（移行条件）が格納されたシーン分岐項目テーブルである。シーン分岐項目テーブルは、共通定義ＤＢ（２４０−２−１）に格納されている。
シーン分岐項目の各項目は、各シーンの展開構成を作成する際に読み出され、リスト表示される。このリスト表示された中から分岐条件項目を選択し、また、テーブルに格納されていない場合には別途分岐条件をＤＢ編集ツール（２４０−１−３）を使って定義データを追加することにより、シーン展開構成が作成される。分岐条件項目の選択を繰り返すことで、複数の推移先を持つ（複数に分岐された）シーンを作成することができる。
【００９８】
図２１は、更に詳細に分岐条件を設定する場合の追加条件テーブルを表したものである。追加条件テーブルも共通定義ＤＢ（２４０−２−１）に格納されている。
追加条件項目は、前記のシーン展開をするアクション（分岐条件項目）に対してさらに複数の展開を持たせるために使用する項目である。このとき分岐させるためのシーンを作成する。分岐させるためのシーンを作成すると、分岐させるためのシーンからの展開構成を作成する際には、追加判断項目が読み出さる。分岐させるためのシーン１個に対し、１分類のみ選択でき、選択された分類の項目が一覧リスト表示されて選択する、もしくは数値入力で範囲指定する。複数の分類を論理積で掛け合わせたい場合は、分岐させるためのシーンを重ねることで容易に作成する事ができるようになっている。
上述したようにエージェント装置は、学習部（１０１−３：図５参照）により、シナリオが複数のシーンに分岐していて、それぞれ異なるシーンでシナリオが終了する場合の終了の仕方をエンドＩＤとして記録するようになっている。また、学習部（１０１−３）は、シナリオのなかでユーザの応答や、通算使用回数等を学習データといして記録することができるようになっている。
【００９９】
図２１に示す追加条件テーブルには、これら記録されたシナリオ終了状態（エンドＩＤ）や、シナリオの通算使用回数、ユーザ情報、メンタルモデル、日時などのその他の分類項目と、各分類における選択できる項目一覧の作成方法が定義されており、これらを追加分岐条件として選択し、１個のシーン展開をするアクションに対して複数の展開を持たせることが可能になっている。
シーン展開をするアクション項目及び追加判断項目に関する定義データも自律起動判断データと同様に、変更及び追加がＤＢ編集ツール（２４０−１−３）を使って行なうことができるようになっている。
【０１００】
共通定義ＤＢ（２４０−２−１）には、その他、音声認識に使用する音声認識用データと、キャラクタの動作指示に使用するデータ（別途台詞の指示データも存在する）と、設定した指示をプレビューして確認するためのキャラクタ画像データ及びキャラクタ台詞データ及びキャラクタによらない統一の指示に対する各キャラクタの表現方法への変換テーブルと、表示装置（２）に表示する各パーツデータ及びそれらをどのように配置するかが記された画面構成データと、シーンにおける処理内容として選択可能な項目、例えば、エージェントが処理可能な行為である、オーディオ装置のオン・オフやチャンネル選択、エアコン装置のオン・オフと温度設定、全体処理部（１０２）に供給する目的地の設定等の各種処理内容項目データ等が共通定義ＤＢ（２４０−２−１）に格納されている。
これら全ての定義データも、各定義データと同様に、変更及び追加がＤＢ編集ツール（２４０−１−３）を使って行なうことができるようになっている。
【０１０１】
次に、このように構成されたシナリオ作成装置によるシナリオ作成の各動作について、画面の遷移に従って説明する。
図２２は、シナリオエディタ（２４０−１−１）を起動した場合に表示装置に表示されるメインウィンドウの構成を表したものである。
この図２２に示されるように、メインウィンドウは、作成中のシーン画面（エージェント装置（１）の表示装置（２）に表示されるシーン画面（図１０参照））が表示されるシーン画面３０１と、各種設定を行う設定項目が表示された設定画面３０３と、シーンの展開構成（分岐の状態）が各シーンを表すシーンアイコン３０７のツリー構造により表示されるシーン展開画面３０５で構成されている。
【０１０２】
シナリオエディタ（２４０−１−１）を起動すると、メインウインドウのシーン展開画面３０５には、スタートポイント３０８が表示される。このスタートポイント３０８を選択するとシナリオプロパティの編集ができる。選択は、例えば、マウスカーソルによるポイント位置をスタートポイント３０８に合わせて、マウスをダブルクリックすることで選択される。
画面構成の変更ボタン３０９は、クリックすると表示したい画面構成の選択ができる。
効果音設定ボタン１１０をクリックすると、後述するように、シナリオの各シーン毎に効果音を設定する画面が表示される。
エージェント表示画面３１１をマウスでダブルクリックすると、エージェント（キャラクタ）の動作の編集画面が表示される。
台詞編集ボタン３１３をクリックするとキャラクタの台詞の指示が編集できる。
ボタンパーツ・バックグラウンド音声認識辞書設定３１５をダブルクリックすると使用する音声認識辞書の編集ができる。シーン画面３０１の回答選択ボタン３１５ａ（５４ａ）のマークで表示されている方を選択すると認識する単語の名称がシーン画面に表示され、バックグラウンドで認識する方３１５ｂを選択すると、音声認識の対象となるが認識する単語の名称は表示されない。
【０１０３】
タイマーの設定３１７では、シーン表示後にタイマーによる通知を発行するまでの時間を設定する。
外部機器等の制御指示編集３１９では、外部機器等（ナビも含む）の制御指示を設定する。
次のシーン作成ボタン３２１をクリックするとシナリオの流れを編集できる（次のシーンを作成する）。このシーン作成ボタン３２１でシナリオの流れを分岐させることで、各シーンの展開構成が作成される。例えば、シーンのアイコン１を選択した状態（アクティブ表示されている状態）で、次のシーン作成ボタン３２１をクリックするとシーン１に続くシーンのアイコンが下層側に表示され、複数回クリックすることでシーン１に続いて展開されるシーン２，３，…が分岐して作成される。
【０１０４】
シナリオの終了位置作成ボタン３２３をクリックするとシナリオの終了位置を作成できる。作成した各シナリオの終了位置には、終了番号がエンドＩＤとして割り振られるようになっている。
シナリオコンパイルボタン３２５をクリックすると作成したシナリオをナビゲーションで使うための実行形式のフォーマットにコンパイルできる。
【０１０５】
図２３は、シナリオプロパティを編集する画面操作の流れを表したものである。
図２３の（ａ）に示したメインウインドウにおいて、シーン展開画面３０５に表示されているスタートポイント３０８をダブルクリックすると、図２３（ｂ）に示すシナリオプロパティの編集ウインドウがメインウィンドウ上に重ねて表示される。
【０１０６】
このシナリオプロパティの編集ウィンドウにおいて、シナリオ名称入力，カナ名称入力，アイコン選択，プライオリティの設定，有効期限（開始条件を満たしてから実際に開始するまでのタイムラグの上限値）の設定，シナリオの自律起動条件の設定（別ウインドウ），作成者名称入力，コメント入力が行なえる。この画面で入力されるシナリオ名称入力，カナ名称入力は、実行形式のシナリオデータにおける管理データ等となる。
シナリオプロパティの編集ウィンドウにおいて、決定ボタン４０２をクリックすると編集内容がデータに反映され、メインウインドウに戻る。一方、キャンセルボタン４０３をクリックするとデータに反映されなで、メインウインドウに戻る。
シナリオプロパティの編集ウィンドウにおいて、起動条件の設定ボタン４０１をクリックすると、シナリオ開始条件（自律起動条件）のメイン編集ウィンドウ（図２３（ｃ））が重ねて表示される。
シナリオ開始条件のメイン編集ウインドウ（図２３（ｃ））で完了ボタンをクリックするとシナリオ起動条件の編集を終了しシナリオプロパティの編集ウィンドウ（図２３（ｂ））に戻る。
【０１０７】
図２４は、シナリオ開始条件のメイン編集ウィンドウから、シナリオ起動条件を編集する画面操作の流れを表したものである。
シナリオ開始条件のメイン編集ウインドウ（図２４（ａ）＝図２３（ｃ））では、ユーザがシナリオを手動で開始できるように設定できる。この事例ではチェックボックス４０６のチェックを外して手動で起動しないに設定する。
このシナリオ開始条件のメイン編集ウインドウ（ａ）の左側の自動起動条件（自律起動条件）一覧にはシステムがシナリオを自動で開始する条件が表示される。図２４（ａ）の状態では、まだ何も設定されていないので空欄の状態である。シナリオ開始条件のメイン編集ウインドウ（図２４（ａ））において、新規作成ボタン４０５をクリックすると、自動開始条件選択ウインドウ（図２４（ｂ））が表示され、新しい開始条件の編集ができる。
【０１０８】
自動開始条件選択ウインドウ（図２４（ｂ））において、設定したい判断条件項目（カテゴリ）を選択し、決定をクリックすると自動開始する条件範囲の選択ウインドウ（図２４（ｃ））へ進む。この図２４（ｂ）の例示では、高速道路走行中にシナリオを自動で開始（自律起動）したいので、「道路の状態がどのようなときに起動するか選択」の中の「種類を選択」の項目を選択し、決定をクリックする。
キャンセルをクリックするとシナリオ開始条件のメイン編集ウインドウ（図２４（ａ））に戻る。
【０１０９】
この自動開始条件選択ウインドウ（図２４（ｂ））に表示し、選択できる項目は、図１７に表示した自動起動項目である。図２４（ｂ）において、「いつ起動させるかを選択」のフォルダ内を選択すると図１７のＮｏ．１〜１０の条件項目が１つ下の階層に表示される。
同様に、「どこで起動させるかを選択」のフォルダを選択するとＮｏ．１０〜１６が、「道路の状態がどのようなときに起動させるかを選択」のフォルダを選択するとＮｏ．２１〜２３が、「車の状態がどのようなときに起動させるかを選択」のフォルダを選択するとＮｏ．１７〜２０が、「ナビの状態がどのようなときに起動させるかを選択」のフォルダを選択するとＮｏ．２１〜２８が、「ユーザーがどのようなときに起動させるかを選択」のフォルダを選択するとＮｏ．２９〜３０が、それぞれ１つ下の階層に表示される。
【０１１０】
自動開始する条件範囲の選択ウインドウ（図２４（ｃ））では、前のウインドウ（ｂ）で選択した判断条件項目（カテゴリ）によってウインドウの構成が変わる。図示した例では、道路の種類を選択する項目のウィンドウが表示されている。
自動開始する条件範囲の選択ウインドウ（図２４（ｃ））で、選択可能な項目は、自動開始条件選択ウインドウ（図２４（ｂ））で選択した自動起動項目に対応する、選択できる項目（図１８）である。この選択できる項目は、選択項目欄４０８右側のマークをクリックすることで、プルダウンメニュー表示される。
自動で開始しても良い条件範囲を一覧から選択（又は数字で入力）し、追加ボタンをクリックすると選択した項目が設定されて下の欄に表示される。図示した例では、「高速道路」を選択して追加ボタンをクリックした場合が表示されている。
自動開始する条件範囲の選択ウインドウ（図２４（ｃ））で決定ボタンをクリックするとその設定状態に決定し、シナリオ起動条件のメイン編集ウインドウ（図２４（ｄ））に戻る。
キャンセルをクリックすると自動開始条件選択ウインドウ（図２４（ｂ））に戻る。
【０１１１】
図２４（ｄ）のシナリオ開始条件のメイン編集ウインドウでは、左側の自動起動条件一覧に、上記操作で設定した自動で開始する条件（道路の種類が高速道路だったら起動する）が表示されている。
また、自動起動の条件一覧画面に表示されている自動で開始する条件を選択して編集ボタンをクリックすると、選択した条件にさらに条件設定を追加するための自動開始条件選択ウインドウ（図２４（ｂ））が表示される。
【０１１２】
次に、道路種類が高速道路だったらという条件設定に「かつ、車速が１２０ｋｍ／ｈ以上だったら」という条件を付加した自律起動条件を設定する操作について、図２５に示した画面遷移に従って説明する。
シナリオ開始条件のメイン編集ウインドウ（図２５（ａ））において、左側の自動起動条件一覧には、すでに設定したシナリオを自動で開始する条件（自律起動条件）が表示される。図２５（ａ）では、図２４で例示的に設定した道路種別が高速道路の場合に自動で開始する条件が表示されている。すなわち、左欄の自動起動条件一覧に表示された自動起動条件０の第１の内容として「道路の状態がどの状態のときに起動させるか選択」という条件が表示され、そのフォルダを選択すると、右側の起動範囲欄にその具体的内容が表示される（図２４（ｄ）参照）。
この自動起動条件一覧に表示された各階層のフォルダに含まれる条件に対して論理積と成る他の条件（アンド条件）を設定する場合には、１つ上の階層のフォルダを選択し（図２５（ａ））、編集ボタンをクリックする。
編集ボタンのクリックにより、アンド条件を設定するための自動開始条件選択ウィンドウ（図２５（ｂ））が表示される。
【０１１３】
そして、自動開始条件選択ウィンドウ（図２５（ｂ））において、アンド条件として設定する条件が含まれるフォルダを開き、自動で開始する条件として設定したい項目を選択し、決定をクリックする。
この事例では車速が１２０ｋｍ／ｈ以上で走行中に自動で開始したいので、図２５（ｂ）に示すように、「車の状態がどのようなときに起動するか選択」の下にある「車速」の下の「状態で選択」の項目を選択し、決定をクリックする。
この決定ボタンのクリックにより、自動開始する条件範囲の選択ウィンドウ（図２５（ｃ））が開かれる。
なお、キャンセルをクリックすると、シナリオ開始条件のメイン編集ウィンドウ（図２５（ａ））に戻ることができる。
【０１１４】
自動開始する条件範囲の選択ウインドウ（図２５（ｃ））は、前のウインドウ（自動開始条件選択ウィンドウ）で選択した自動で開始する条件の項目によってウインドウの表示構成が異なる。この事例では図２５（ｃ）に示すように車速の種類を選択できるウインドウを示している。
自動で開始したい条件範囲を一覧から選択し、追加ボタンをクリックし設定する。この事例では１２０ｋｍ／ｈ以上の車速に相当するものを選択して追加ボタンをクリックする操作を繰り返し、全て選択する。選択した条件はすべて下の欄に表示され、この欄に表示された各条件は論理和の条件（オア条件）となる。
決定ボタンをクリックするとそのときの設定状態が決定され、シナリオ開始条件のメイン編集ウィンドウ（図２５（ｄ））に戻る。
なお、キャンセルをクリックすると自動開始条件選択ウィンドウ（図２５（ｂ））に戻ることができる。
【０１１５】
決定後のシナリオ開始条件のメイン編集ウインドウ（図２５（ｄ））では、左側の自動起動条件一覧に、先の操作で設定した自動で開始する条件（道路の種類が高速道路だったら自動で開始する）に上記の操作で設定した条件（なおかつ車速が１２０ｋｍ／ｈ以上だったら自動で開始する）が追加されて表示される。
【０１１６】
次に、道路種類が高速道路でかつ、車速が１２０ｋｍ／ｈ以上だったらという条件設定に、さらに追加するアンド条件として、「かつ、東名高速道路下り線の由比ＰＡ付近に設置されているオービスの２ｋｍ手前の地点だったら」という条件を付加する操作について図２６を参照しながら説明する。
【０１１７】
図２６（ａ）に示すシナリオ開始条件のメイン編集ウインドウでは、エージェントシステムがシナリオを自動で開始する条件（設定済みの自律起動条件）が左側の自動起動条件一覧に表示される。すなわち、ここまでの操作で設定されている「道路種別が高速道路の場合」でかつ「車速が１２０ｋｍ／ｈ以上だったら」自動で開始する条件が表示されている。これら両条件に加えてアンド条件を設定するために、その１つ上の階層の自動起動条件０を選択し、編集をクリックして、自動開始条件選択ウィンドウ（ｂ）に進む。
【０１１８】
自動開始条件選択ウインドウ（図２６（ｂ））において、自動で開始する条件として設定したい項目を選択し、決定をクリックする。この事例では特定の地点に居たら自動で開始するようにしたいので、「どこで起動させるか選択」の下にある「地点」の下の「地図で選択」の項目を選択する。
なお、「登録地点から選択」を選択した場合には、すでに登録済みの地点（例えば、自宅、会社、スーパ、ゴルフ場等のユーザーが登録した地点、及び、ナビゲーション装置において目的地として登録した地点を、ＩＣカード等よりＤＢ編集ツール（２４０−１−３）を介し、共通定義ＤＢ（２４０−２−１）に格納した地点）のリストが表示される。
【０１１９】
自動開始する条件範囲の選択ウインドウ（図２６（ｃ））では、前のウインドウ（ｂ）において自動で開始する条件として設定したい項目によってウインドウの構成が変わる。この事例では地図から地点を選択できるウインドウを示している。地図のデータについては、記憶装置（２４０）の共通定義データ（２４０−１−１）から読み出して表示する。なお、使用する地図については、エージェント装置のナビゲーション機能で使用される地図と同一であることが好ましいが、異なる地図であっても絶対座標（緯度、経度）を特定することができれば、他の地図であっても使用可能である。地図データについては、ナビゲーション用のＣＤＲＯＭや、ＤＶＤに格納された地図を使用してもよく、また、インターネット等のネットワークを介してダウンロードした地図、その他の地図を使用してもよい。
【０１２０】
自動開始する条件範囲の選択ウインドウ（２７（ｃ））において、自動で開始しても良い条件範囲を地図から選択（希望の地点をクリックする）し、追加ボタンをクリックし設定する。この事例では東名高速道路下り線の由比ＰＡ（パーキングエリア）付近に設置されているオービスの２ｋｍ手前の地点を地図上でクリックして選択し、更に、追加ボタンをクリックして設定する。
決定ボタンをクリックするとその設定状態に決定し、図２６（ｄ）に示したシナリオ開始条件のメイン編集ウィンドウに戻る。
【０１２１】
図２６（ｄ）で例示したシナリオ開始条件のメイン編集ウインドウでは、左側の自動起動条件一覧に、ここまでの操作で設定した自動で開始する条件（道路種別が高速道路の場合でかつ車速が１２０ｋｍ／ｈ以上だったら自動で開始する）に今回の操作で設定した条件（なおかつ地点が東名高速道路下り線の由比ＰＡ付近に設置されているオービスの２ｋｍ手前の地点だったら自動で開始する）が追加されて表示されている。
シナリオ開始条件のメイン編集ウィンドウ（ｄ）で、完了ボタンをクリックすると、シナリオの開始条件の編集が終了する。
これで、東名高速道路下り線の由比ＰＡ付近に設置されているオービスの２ｋｍ手前の地点でかつ、道路種別が高速道路でかつ、車速が１２０ｋｍ／ｈ以上で走行している場合に自動で開始する条件設定が完了する。
更に、アンド条件を設定したい場合には同様の処理を繰り返すことで、複数の論理積の条件を設定することができる。
【０１２２】
次に、以上説明した事例以外でよく使用する自動で開始させたい条件を設定する場合の、自動開始する条件範囲の選択ウインドウについて説明する。
各ウィンドウは、自動開始条件選択ウィンドウで該当項目を選択して決定をクリックすることで表示される。
【０１２３】
図２７（ａ）は、日付入力用の自動開始する条件範囲の選択ウインドウである。
このウィンドウにおいて、自動で開始させたい日付を入力して追加ボタンをクリックすると下の条件表示欄に反映され、更に決定ボタンをクリックすると条件として設定される。
【０１２４】
図２７（ｂ）は、時刻入力用の自動開始する条件範囲の選択ウインドウである。
このウィンドウにおいても、自動で開始させたい時刻を入力して追加ボタンをクリックする下の条件表示欄に反映され、更に決定ボタンをクリックすると条件として設定される。
【０１２５】
図２７（ｃ）は、地点を東経北緯の座標で入力する場合の自動開始する条件範囲の選択ウインドウである。
このウィンドウにおいて、自動で開始させたい地点を東経北緯の座標（１／１２８秒単位）で入力して追加ボタンをクリックすると下の条件表示欄に反映され、更に決定ボタンをクリックすると条件として設定される。
【０１２６】
以上説明したように、本実施形態のシナリオ作成装置によれば、作成したシナリオを自動的に起動させるタイミング（諸条件）を自由に設定することができる。例えば、毎年特定の日（例えばクリスマスイブ、誕生日、結婚記念日等）に１回だけ起動する作成者独自のシナリオを作成することも可能である。
設定できる条件は、作成したシナリオを実際に実行するエージェント装置で検出可能な各種状況に対応されているため、設定した条件を満たす場合に確実にシナリオを起動させることができる。すなわち、確実に起動可能な条件を設定することができる。
本実施形態のエージェント装置は、車両に搭載され、かつナビゲーション機能を備えているので、ナビゲーションとの連携でシナリオを自律起動させる条件を設定することができる。例えば、車両で移動中に休憩できる場所を紹介するシナリオの自律起動条件として、エンジンを始動してから２時間経過していて、かつ自宅周辺でない（例えば自宅から２０ｋｍ圏内の外に居る）場合に自律起動する条件を設定することができる。
【０１２７】
また、本実施形態によれば、例えば、オービスの設置してある２ｋｍ手前の地点（東経北緯座標で指定）でかつ、道路種別が高速道路でかつ、車速が１２０ｋｍ／ｈ以上で走行している場合に自動で登場してオービスの警告をしてくれるシナリオの条件の中にある車速の条件を１４０ｋｍ／ｈ以上に変更することも可能になる。
この場合、シナリオ開始条件のメイン編集ウィンドウの、自動起動の条件一覧の変更したい条件が含まれるフォルダを選択することで、右側の１「起動範囲」の欄に変更したい条件１２０ｋｍ／ｈ以上を表示、選択して削除キーを押し、その後新たに１４０ｋｍ／ｈの条件を設定する。
【０１２８】
次に、本実施形態におけるシナリオの各シーン毎に効果音を設定する効果音設定手段の操作手順について図２８を参照しながら説明する。
この効果音の設定は、エージェントが自律的に登場した場合の他、各シーン毎に設定することができる。
図２８（ａ）に示すシナリオエディタのメイン画面において、左側のシーン展開画面３０５に表示されているシナリオ図で１番のシーンを選択（クリック）することで、効果音を設定するシーンを特定する。
そして、メインウィンドウに表示された効果音ボタン３１０をクリックすると、効果音の選択ウィンドウ（図２８（ｂ））が表示される（効果音表示手段）。
【０１２９】
そして効果音選択ウインドウ（ｂ）において、「効果音を使用する」のチェックボックス１にチェックして効果音を使用する設定にする。
すると、効果音選択ウインドウは図２８（ｃ）に示すように、効果音を選択する選択ボックスが有効（選択可能）になる。この選択ボックスで複数ある効果音の各名称をプルダウン表示させ、必要な効果音を選択する。ここでは、「注意・警告」の効果音を選択した場合を例に表示されている。
選択可能な効果音の種類は複数存在し、開始音、知らせる、アクシデント、操作代行、注意・警告等に分類されて名称がつけられており、プルダウンメニューでリスト表示する際に表示される。
【０１３０】
効果音選択ウインドウ（ｃ）で効果音を選択すると決定ボタンが有効になるので（ｄ）、決定ボタンをクリックして決定する（効果音選択手段）。
これにより、図２９に示すように、メインウインドウ右側にあるシーン詳細設定領域の右上に効果音を設定したことを示す効果音設定アイコン３１２が表示される。
シナリオの作成者は、メインウィンドウにおいて各シーン毎に効果音設定アイコン３１２表示の有無から、効果音の設定状況を知ることができる。
【０１３１】
次に、自律起動条件と効果音の設定以外の、シナリオを作成する各種操作について説明する。
図３０は、エージェント表示画面５１（図１０参照）に表示したい画面構成を選択する画面操作の流れを表したものである。
この図３０（ａ）に示されるメインウィンドウのシーン展開画面３０５に表示されているシーンアイコン３０７を選択してアクティブ状態にすると、選択したシーンアイコンに対応するシーン画面３１０が表示される。そして、設定画面３０３の画面構成の変更ボタン３０９をクリックすると、画面構成の選択ウインドウ（ｂ）が表示される。
この画面構成の選択ウインドウ（ｂ）では、シーン表示画面５４（図１０参照）に表示可能なる画面構成が一覧表示される。何も表示されない基本画面、ボタンによる選択ボタンが２つ表示された２択画面、選択ボタンが複数表示されたボタン選択画面、例えば、都道府県名等の複数の項目がリスト表示されるリスト選択画面、画像データを表示する画像表示画面等の各種選択可能な画面が表示される。
一覧表示された各画面構成の中から１の画面構成を選択し、決定ボタンをクリックすると画面構成を変更する場合は確認ダイアログで確認後変更する場合は、その画面構成に変更してメインウィンドウ（ａ）に戻る。メインウィンドウに戻ると、シーン画面３０１が新たに選択した画面構成に変更されて表示される。
【０１３２】
以下図３１から図３３までが本実施形態におけるキャラクタの表示内容（画像、音声）、処理内容（キャラクタの動作）を設定するキャラクタ設定手段手段を形成する。
図３１は、キャラクタ動作（エージェントの動作）指示を編集する画面操作の流れを表したものである。
シーン画面の編集状態を表しているメインウィンドウ（図３１（ａ））において、エージェント表示画面３１１をマウスでダブルクリックすると、キャラクタごとの直接指示編集ウインドウ（ｂ）又はキャラクタ動作の統一指示編集ウインドウ（ｃ）が表示される。
動作指示をキャラクタごとの直接指示で指示しているときは（ｂ）が表示され、キャラクタに表現させたい状態で指示している場合は（ｃ）が表示される。
【０１３３】
図３１（ｂ）のキャラクタごとの直接指示編集ウインドウでは、モーション（動作），表情（感情表現の要素），髪型（成長表現の要素），服装（ＴＰＯ表現の要素），スケール（キャラクタ表示領域をカメラのフレームとするとそのカメラアングルの要素），口パクをする範囲（台詞を割り当てる範囲），動作の指示タイミング，及びキャラクタ表示領域の背景を選択する。このウィンドウにおいて、決定ボタンをクリックすると編集内容がデータに反映され、メインウィンドウ（ａ）に戻る。キャンセルボタンをクリックするとデータに反映されなで、メインウィンドウ（ａ）に戻る。
また、表現内容指定タンをクリックすると、キャラクタに表現させたい状態で指示する状態指示編集ウインドウ（ｃ）切り替わる。
【０１３４】
図３１（ｃ）のキャラクタ動作の状態指示編集ウインドウでは、キャラクタが表現する状態として、仕事の要素，精神状態の要素，ＴＰＯ表現の要素，成長表現の要素，スケール要素（キャラクタ表示領域をカメラのフレームとするとそのカメラアングルの要素），動作の指示タイミング，及びキャラクタ表示領域の背景を選択する。このウィンドウで、決定ボタンをクリックすると編集内容がデータに反映され、メインウィンドウ（ａ）に戻る。キャンセルボタンをクリックするとデータに反映されなで、メインウィンドウ（ａ）に戻る。
直接指示指定タンをクリックすると、キャラクタ動作の直接指示で指示する直接指示編集ウインドウ（ｂ）に切り替わる。
【０１３５】
図３２は、キャラクタ（エージェント）の台詞指示を編集する画面操作の流れを表したものである。
シーン画面の編集状態を表しているメインウィンドウ（図３２（ａ））において、設定画面３０３の台詞編集ボタン３１３をクリックすると台詞の編集ウインドウ１（ｂ）が表示される。
この台詞の編集ウインドウ１（ｂ）では、「ＰＣＭ」のタブ画面が表示され、ＰＣＭ（録音されて用意されている肉声データ）の指示ができる。
台詞の編集ウインドウ１（ｂ）で「ＴＳＳ」タブを選択すると、台詞の編集ウインドウ２（ｃ）が表示され、ＴＴＳ（合成音声）の指示をができる。
ＰＣＭの場合台詞を全角ひらがなで入力（上記入力用ボックス）し該当する台詞が有るか検索（検索ボタンをクリックする：前方一致と完全一致の２種類の検索方法を用意）し、検索結果（検索結果一覧表示欄が存在する）から選択しキャラクタに話させる台詞を設定（追加ボタンをクリックすると設定できる）していく。
ＴＴＳの場合は台詞名称（吹き出し表示用データ）とフリガナ（合成音声を作成するためのデータ）を入力しキャラクタに話させる台詞を設定（追加ボタンをクリックすると設定できる）していく。
台詞の編集ウインドウ１（ｂ）、２（ｃ）において、決定ボタンをクリックすると編集内容が吹き出し画面４３０のデータとして反映されてメインウィンドウ（ａ）に戻り、キャンセルボタンをクリックするとデータに反映されなでメインウィンドウ（ａ）に戻る。
【０１３６】
図３３は、音声認識辞書を編集する画面操作の流れを表したものである。
この操作は、装置側からの回答を要求する問いかけに対する回答を認識するための音声辞書を設定する者である。
シーン画面の編集状態を表しているメインウィンドウ（図３３（ａ））において、選択された画面構成にしたがって表示されるボタンパーツ部３１５ａ（画面構成によっては通常リストボックスパーツ部の場合も有る）をダブルクリックすると音声認識辞書選択ウインドウ（ｂ）が表示される。また、バックグラウンドで認識する辞書の一覧表示部３１５ｂをダブルクリックしても音声認識辞書選択ウインドウ（ｂ）が表示される。
【０１３７】
音声認識辞書選択ウインドウ（図３３（ｂ））において、辞書候補の一覧表示にある辞書名称をダブルクリックするとその音声認識辞書を使うものとして、一般辞書として選択した一覧に表示される。
決定ボタンをクリックすると編集内容がデータに反映されてメインウィンドウ（ａ）に戻り、キャンセルボタンをクリックするとデータに反映されなでメインウィンドウ（ａ）に戻る。
新規作成ボタンをクリックすると、音声認識辞書を新規に作成する音声認識辞書作成ウインドウ（図３３（ｃ））が表示される。
【０１３８】
音声認識辞書作成ウインドウ（図３３（ｃ））では、辞書の名称を入力して辞書追加ボタンをクリックするとその名称で音声認識辞書を新規に作成して音声認識辞書へ単語登録するウインドウ（ｄ）が表示される。
音声認識辞書作成ウインドウ（ｃ）でＯＫボタンをクリックすると音声認識辞書の作成を終了し、音声認識辞書選択ウインドウ（ｂ）にもどる。
【０１３９】
音声認識辞書へ単語登録するウインドウ（図３３（ｄ））では、登録したい単語を半角カナでフリガナ欄に入力し、決定ボタンをクリックする。次に名称（表示させたい名称）を選択もしくは新規入力し、コールバックをする際のＰＣＭ音声を選択（無しを選択すればコールバックする場合はＴＴＳを使用する）する。これら３項目の入力をした後に登録ボタンをクリックするとデータ登録され右側の登録単語一覧に追加される。
登録したい単語の登録を全て終わったら戻るボタンをクリックすると音声認識辞書作成ウインドウ（ｃ）に戻る。
【０１４０】
図３４は、シナリオの流れを編集する画面操作の流れを表したものである。
メインウィンドウにおいて作成中のシーンアイコン３０７（図ではアイコン１）を選択してアクティブ状態にして、新規シーン作成ボタン３２１をクリックすると、移行の選択ウインドウ（ｂ）が表示される。
この移行の選択ウインドウ（ｂ）において、新規に作成するシーンへ分岐させる条件を分岐イベント一覧から選択し、ＯＫボタンをクリックするとその条件（分岐イベント）に決定してメイン画面（ａ）へ戻る。戻った後のメイン画面（ｃ）では、シーン展開画面３０５に、新たにシーン（図ではシーンアイコン（４）が作成されている。新規に作成されたシーンアイコンでは、他のシーンアイコンと区別するため、ＮＥＷと表記される。
なお、分岐イベントの選択ウィンドウで選択できる分岐イベントは、図２０に表示されている。
【０１４１】
図３５は、シナリオの終了位置を編集する画面操作の流れを表したものである。
メインウインドウ（ａ）において、シナリオの終了位置作成ボタン３２３をクリックするとエンドＩＤの指定ウインドウ（ｂ）が表示される。
このエンドＩＤの指定ウインドウ（ｂ）において、終了位置マークの持つＩＤ番号を指定する。通常は自動割付するが、自動で割り付けると書かれたチェックボックスのチェックをはずせばエディタの操作者が自分で割り付けることもできる。ＯＫボタンをクリックするとＩＤ番号を決定し分岐イベント選択ウインドウ（ｃ）が表示される。
【０１４２】
分岐イベント選択ウインドウ（ｃ）では、新規シーン作成時と操作方法は同様にシナリオを終了するための分岐条件を設定する。追加条件設定も同様にできる。このウィンドウで、ＯＫボタンをクリックするとその条件（移行条件）に決定してメインウィンドウ（ｄ）へ戻る。このときシナリオ図には新たにシナリオ終了位置４３３が作成されている。
以上説明したように、キャラクタ（エージェント）の表示内容、処理内容の少なくとも１つが定義された画面要素を１画面要素（シーン）とし、該画面要素及び画面要素間の移行条件とを組み合わせて画面要素推移体（シナリオ）を作成する画面要素推移体作成手段が形成される。
【０１４３】
図３６は、作成したシナリオをナビゲーションで使用可能な実行形式のフォーマットにコンパイルするための画面操作の流れを表したものである。
メインウインドウ（ａ）において、シナリオコンパイルボタン３２５をクリックすると、シナリオコンパイラのウインドウ（ｂ）が表示される。
このシナリオコンパイラのウインドウ（ｂ）において、コンパイルしたデータを出力するファイルの名称を指定し、同時に変換するシナリオを選択（シナリオ一覧リストにチェックしたシナリオを同時に変換する）し、コンパイルボタンをクリックするとデータ変換を開始する。データ変換の状況を結果表示部に表示する。
終了ボタンをクリックするとデータ変換を終了し、メインウィンドウ（ａ）にもどる。
【０１４４】
以上説明したシナリオ作成装置２で作成されたシナリオをエージェント装置１で実行することで、自動的に各種の情報を運転者等に提供するシステムを構築することが可能である。
すなわち、運転中における情報提供は、ユーザからの要求に応じて行うのが一般的であるが、運転者等のユーザにとって情報を要求するための操作が必要になる。そこで、かかる操作を不要とし、自律的に起動するシナリオを利用することで、必要な情報を自動的にユーザに提供する装置とすることができる。
【０１４５】
シナリオ作成装置２では、自動で情報提供を行う場合、情報提供自身が運転の妨げにならないように、提供のタイミングや内容を工夫したシナリオを作成することが可能である。
一方、予めエージェント装置１に格納されるシナリオの場合においても、同様に提供タイミング、内容等を工夫したシナリオを作成して外部記憶装置（１０−２）に格納することが可能である。
具体的には、ユーザの慣れや状態に応じて、情報提供のタイミングや内容が変化するように、シナリオの起動条件とシナリオデータを作成する。
【０１４６】
情報提供は情報の内容（シナリオデータ）と、提供のタイミング（自律起動条件）から構成される。なお、情報提供シナリオでは、音声による情報提供が中心になり、動作は一般的な動作になる。但し、シナリオ作成装置で作成する場合には、作成されたシーンの動作に従うことになる。
提供する情報の内容には「あいさつ」、「報告」、「警告」、「質問」、「案内」、「会話」などがある。
一方、提供のタイミングは「時間」、「場所」、「道路の状態」、「車両の状態」、「ユーザの状態」などによって決定する。
【０１４７】
図３７〜図４２は、エージェント装置１のユーザ（運転者等）に自動的に情報を提供するシナリオの概要をリスト表示したものである。
この図３７〜図４２に示した各情報提供シナリオは、大項目、小項目毎に分類されている。そして、制御内容欄にかかれた内容に従って、シナリオが作成されている。
制御内容欄の記載のうち、／で区切られている情報提供シナリオは、／の前の部分が自律起動条件、又はシナリオの移行条件に該当し、後の部分が制御内容に該当する。
例えば、番号１の情報提供シナリオ「一番最初にナビを起動したときに、／エージェントが初めての挨拶をする」の場合、／の前の「一番最初にナビを起動したときに、」が自律起動条件に該当し、／の後の「エージェントが初めての挨拶をする」がシナリオデータの制御内容に該当する。
【０１４８】
また、番号２７４の場合、「前回のナビの終了からの経過時間により／キャラクタの髪型を変化させる」の場合、／の前の「前回のナビの終了からの経過時間により」がシーンの移行条件に該当し、「キャラクタの髪型を変化させる」が制御内容に該当する。
つまり、ナビが停止されてから開始されるまでの時間（使用していない時間）をカウントし、その時間が、例えば１０時間以内だったら、キャラクタの髪を変化させず、１０時間以上だったらキャラクタの髪を伸ばし表示装置に表示する（表示手段）。という制御が可能となる。
【０１４９】
この情報提供のシナリオデータの内容に従って登場するキャラクタ等は予めユーザによって選択されているキャラクタが登場することになる。各動作の具体的内容については、各シナリオ作成装置の作成者が作成した動作による。なお、予めエージェント装置に搭載されている情報提供シナリオの場合には一般的な動作が規定される。
【０１５０】
これら、図３７〜図４２に例示した情報提供シナリオは、エージェント装置の初期状態では車両停止時のみ情報を提供し、ユーザの使用頻度や操作状況に応じて（学習によって）走行中でも情報提供を行うように変化させるようにしてもよい。
この場合、情報提供シナリオを他のシナリオと区別して保存し、情報提供シナリオ全体に対する加重的な自律起動条件として、初期状態、初期状態からの経過状況（使用頻度、経過時間等）、操作の慣れ等、追加するようにしてもよい。そして追加する加重条件毎に、その加重条件が加重される情報提供シナリオが纏められている（又は、関連付けられている）。
また、加重条件に応じて、各情報提供シナリオで提供される情報の質や量も変化するようにしてもよい。
【０１５１】
以上説明したように、本実施形態のエージェント装置によれば、シナリオ作成装置で作成されたシナリオデータに基づいてエージェントを自律的に起動させる（自動で登場させる）条件を満たしたかを判断する処理を定期的にもしくは特定の状態を満たしたときに実行し、条件を満たした場合にエージェントを自動で登場させることができる。
一方、本実施形態のシナリオ作成装置及びシナリオエディタによれば、プログラムの知識の有無に関係無く、シナリオエディタを持つことで特定の条件を満たしたときに自動で登場して対応してくれるエージェントのシナリオデータを容易に作成及び編集することができる。また、シナリオ作成装置に、音（効果音）を鳴らすｏｒ鳴らさないの設定及び鳴らす場合はどういった音を鳴らすかの設定ができる（作成した各シーンで設定できる）ので、自動でエージェントが登場したことを運転者が画面を見ることなく通知することができるシナリオを容易に作成することができ、運転操作中でも運転者は安全にエージェントの登場を知ることができる。
【０１５２】
以上、本発明の車載装置、データ作成装置、及びデータ作成プログラムにおける１実施形態について説明したが、本発明は説明した実施形態に限定されるものではなく、各種の変形を行うことが可能である。
説明した実施形態では、図１７〜図１８に例示した、自律起動条件として選択可能な項目として「ユーザ性別」「ユーザ年齢」について規定したが、運転者に関する他の自動起動項目（図１７参照）を追加するようにしてもよい。例えば、自動起動項目として、「熟練度」や「感情」等の運転者の状態に関する項目を追加する。そして、「熟練度」に対応する選択可能項目（図１８、図１９参照）として「低い」、「普通」、「高い」を追加し、「感情」に対応する選択可能項目として「不安」、「あせり」、「緊張」等を追加する。
【０１５３】
この場合、エージェント装置では、熟練度、感情といった運転者の状態を、運転者情報データ（１０−２−３−６）や、学習項目データ（１０−２−３−７）に格納される運転者の操作履歴等から状況情報として取得し、シナリオの起動条件と比較判断する。
すなわち、エージェント装置では、エージェントＯＳ（１０１−８）が例えば各種状況検出装置（６）からの情報を外部Ｉ／Ｆ（１０１−９）を通して全体処理部（１０２）から取得し、また、学習部（１０１−３）が格納している運転者情報データ（１０−２−３−６）や学習項目データ（１０−２−３−７）に格納される運転者操作履歴等を基にして、学習部（１０１−３）が現在の運転者の状態を判断する。
判断する運転者状態の例としては、自律起動条件の各項目に対応する、運転者の不安、あせり、緊張感、…等や、エージェント装置に対する熟練度等も判断及び推測する。
例えば、一定時間内にスピード超過状態が長く続き、かつ急な加減速が多く行なわれた場合に時間に対してあせっている（急いでいる）と判断する例が考えられる。
また、エージェントの通算使用回数や、通算使用時間（コミュニケーション時間）、さらには自動起動が発生した回数等を使ってエージェント装置に対する熟練度を低い・普通・高い等３段階で判断したりする。段階の数や判断の条件は一例であり変更しても良いものとする。
【０１５４】
このように、エージェント装置側で検出可能な条件をシナリオ作成装置に登録し、シナリオエディタで使用可能にすることで、運転者状態を画面要素推移体（シナリオ）の起動条件（自律起動条件）として使用することができる。
これにより運転者があせっている場合は、エージェント側から自律的に登場してコミュニケーションを取らない（自律起動条件に「あせっていない場合」という条件を付加する）ことが可能になる。
【０１５５】
なお、本実施形態では、規格化されたシナリオデータに従ってエージェント機能を実現可能とし、シナリオデータで規定された自律起動条件に基づいてシナリオを起動する車両用のエージェント装置を提供することを目的Ａ、エージェント装置においてエージェント機能を実現するための規格化されたシナリオ、及び、シナリオを自律的に起動する自律起動条件を容易に作成することが可能なシナリオデータ作成装置を提供することを目的Ｂとして、以下のように構成することも可能である。
（ａ）車室内や車両の状態を判断し、その判断結果に応じた処理を自律的に行う機能を、エージェントの容姿の動きや音声と連動させて実行するエージェント装置であって、
所定の容姿を有するエージェントの画像を車室内に表示するエージェント表示手段と、
装置が行う処理内容とエージェントの画像及び音声の少なくとも１つから構成される場面を１シーンとし、１又は連続する複数のシーンで構成されたシナリオと、当該シナリオの展開を自律的に起動する自律起動条件とを有するシナリオデータを記憶したシナリオ記憶手段と、車室内や車両の状態を状況情報として取得する状況情報取得手段と、前記取得した状況情報が前記シナリオ記憶手段に記憶された各シナリオの自律起動条件を満たしているか否かを判断する条件判断手段と、前記条件判断手段で満たしていると判断された自律起動条件に対応するシナリオを自律的に起動して各シーンを順次展開するシナリオ実行手段と、を備え、前記条件判断手段は、所定のタイミングで状況情報が自律起動条件を満たしているか否かを判断することを特徴とするエージェント装置。
（ｂ）前記条件判断手段は、所定時間毎の定期的に、及び、前記取得した状況情報から予め設定された特定の状況を満たした場合に判断を行う、ことを特徴とする（ａ）に記載のエージェント装置。
（ｃ）前記シナリオ実行手段は、効果音が設定されたシーンの場合、効果音情報に対応する効果音を当該シーンを展開する際に出力することを特徴とする（ａ）又は（ｂ）に記載のエージェント装置。
（ｄ）車両用のエージェント装置が自律的に行う処理内容とエージェントの画像及び音声の少なくとも１つから構成される場面を１シーンとし、１又は連続する複数のシーンで構成されたシナリオを、当該シナリオの自律起動条件を満足した場合に自律的に起動するエージェント装置用のシナリオデータを作成するシナリオデータ作成装置であって、シーンの構成要素として選択可能なエージェントの処理内容とエージェント画像と音声データの少なくとも１つを選択するシーン要素選択手段と、前記取得したシーン構成要素から、エージェントによる処理内容、エージェントの画像及び、出力音声の少なくとも１で構成される場面を１シーンとして作成するシーン作成手段と、所定のシーンから次のシーンに移行するための１又は複数の移行条件と、各移行条件に対応して移行先のシーンを特定する移行先データとから、各シーンの展開構成を作成するシーン展開構成作成手段と、前記エージェント装置により取得可能な車室内や車両の状態に関する状況情報の各項目を提示する提示手段と、提示した状況情報の各項目から１つ以上の項目を選択する選択手段と、前記選択された１または複数の状況表示の項目からシナリオの自律起動条件を作成する自律起動条件作成手段と、前記作成したシーンと前記作成した各シーンの展開構成と、前記作成したシナリオの自律起動条件とからなるシナリオデータを出力する出力手段と、を具備することを特徴とするシナリオデータ作成装置。
（ｅ）前記シナリオは、エージェントによる提案、質問、挨拶等の能動的動作を内容とするシーンから開始することを特徴とする（ｄ）に記載のシナリオデータ作成装置。
（ｆ）シーンを選択するシーン選択手段と、１または複数の効果音を特定する効果音情報を、一覧表示する効果音表示手段と、前記表示された効果音情報から１の効果音情報を選択する効果音選択手段と、前記選択された効果音情報に対応する効果音を前記選択されたシーンの開始時に出力する効果音として設定する効果音設定手段と、を具備することを特徴とする（ｄ）又は（ｅ）に記載のシナリオデータ作成装置。
（ａ）の実施形態によれば、規格化されたシナリオデータに従ってエージェント機能を実現可能とし、シナリオデータで規定された自律起動条件に基づいてシナリオを起動することが可能になる。
また（ｂ）記載の実施形態によれば、プログラミングの十分な知識がなくても、エージェント装置においてエージェント機能を実現するための規格化されたシナリオ、及び、シナリオを自律的に起動する自律起動条件を容易に作成することができる。
【０１５６】
【発明の効果】
請求項１記載の車載装置によれば、所定情報の提供を自動的に行うことが可能になる。
請求項２に記載のデータ作成装置によれば、車載装置において所定情報を自動的に提供するための画面要素推移体、及びその起動条件を容易に作成することが可能になる。
請求項３に記載のデータ作成プログラムによれば、車載装置において実行される所定情報を自動的に提供するための画面要素推移体、及びその起動条件をコンピュータを使用して容易に作成することができる。
請求項４に記載の車載装置では、表示されるキャラクタの容姿が時間の経過とともに変化させることができる。
【図面の簡単な説明】
【図１】本発明の一実施形態におけるエージェント装置を使用した、シナリオ追加システムについてのシステム構成図を表したものである。
【図２】本発明の一実施形態におけるエージェント装置の構成を示すブロック図である。
【図３】同上、エージェント装置における各種状況検出装置の構成図である。
【図４】ＣＰＵでプログラムが実行されることにより実現されるエージェント処理部と、全体処理部との関係を表した説明図である。
【図５】エージェント処理部の構成を表した説明図である。
【図６】外部記憶媒体に集録されている情報を概念的に表した説明図である。
【図７】キャラクタデータを概念的に表した説明図である。
【図８】運転者情報データを概念的に示した説明図である。
【図９】実機形式シナリオデータの構成を表したものである。
【図１０】シナリオのシーンデータに基づいて表示装置に表示されるシーン画面の一例を表した説明図である。
【図１１】旅館が宿泊予定者に送信した案内シナリオによるシーン画面の遷移を各シーン毎に表した画面遷移図である。
【図１２】自律起動判断部によるシナリオの自律起動判断処理について表したフローチャートである。
【図１３】条件判断処理の処理内容を表したフローチャートである。
【図１４】シナリオ作成装置の構成図である。
【図１５】シナリオ編集プログラムとデータの構成を概念的に表したものである。
【図１６】データ形式の変換を概念提供に表したものである。
【図１７】自動起動項目として設定可能な項目を例示したものである。
【図１８】自動起動項目に対して選択可能な項目を例示したものである。
【図１９】自動起動項目に対して選択可能な項目を例示したものである。
【図２０】シーンから次のシーンに分岐（シーン展開）をするための分岐項目（移行条件）が格納されたシーン分岐項目テーブルである。
【図２１】追加条件テーブルを表したものである。
【図２２】シナリオエディタを起動した場合に表示装置に表示されるメインウィンドウの構成を表したものである。
【図２３】シナリオプロパティを編集する画面操作の流れを表したものである。
【図２４】シナリオ開始条件のメイン編集ウィンドウから、シナリオ起動条件を編集する画面操作の流れを表したものである。
【図２５】他のアンド条件を設定する操作の画面遷移を表したものである。
【図２６】更に他のアンド条件を設定する操作の画面遷移を表したものである。
【図２７】日付入力、時間入力、座標入力用の自動開始する条件範囲の選択ウインドウ表したものである。
【図２８】本実施形態におけるシナリオの各シーン毎に効果音を設定する場合の操作手順について表した説明図である。
【図２９】効果音を設定した後のメインウィンドウの状態を表した説明図である。
【図３０】エージェント表示画面５１に表示したい画面構成を選択する画面操作の流れを表したものである。
【図３１】キャラクタ動作（エージェントの動作）指示を編集する画面操作の流れを表したものである。
【図３２】キャラクタ（エージェント）の台詞指示を編集する画面操作の流れを表したものである。
【図３３】音声認識辞書を編集する画面操作の流れを表したものである。
【図３４】シナリオの流れを編集する画面操作の流れを表したものである。
【図３５】シナリオの終了位置を編集する画面操作の流れを表したものである。
【図３６】作成したシナリオをナビゲーションで使用可能な実行形式のフォーマットにコンパイルするための画面操作の流れを表したものである。
【図３７】ユーザに自動的に情報を提供するシナリオの概要をリスト表示したものの一部である。
【図３８】ユーザに自動的に情報を提供するシナリオの概要をリスト表示したものの他の一部である。
【図３９】ユーザに自動的に情報を提供するシナリオの概要をリスト表示したものの他の一部である。
【図４０】ユーザに自動的に情報を提供するシナリオの概要をリスト表示したものの他の一部である。
【図４１】ユーザに自動的に情報を提供するシナリオの概要をリスト表示したものの他の一部である。
【図４２】ユーザに自動的に情報を提供するシナリオの概要をリスト表示したものの残りの一部である。
【符号の説明】
１　エージェント装置装置
２　シナリオ作成装置
３　サーバ
（１）　中央処理装置
（２）　表示装置
（３）　音声出力装置
（４）　音声入力装置
（５）　入力装置
（６）　各種状況検出装置
（７）各種車載装置
（８）通信制御装置
（９）通信装置
（１０）外部記憶装置
（２００）　制御部
（２１０）　入力装置
（２２０）　出力装置
（２３０）　通信制御装置
（２４０）　記憶装置
（２５０）　記憶媒体駆動装置
（２６０）　入出力Ｉ／Ｆ
【図１】
2004051074.tif 000003
【図２】
2004051074.tif 000004
【図３】
2004051074.tif 000005
【図４】
2004051074.tif 000006
【図５】
2004051074.tif 000007
【図６】
2004051074.tif 000008
【図７】
2004051074.tif 000009
【図８】
2004051074.tif 000010
【図９】
2004051074.tif 000011
【図１０】
2004051074.tif 000012
【図１１】
2004051074.tif 000013
【図１２】
2004051074.tif 000014
【図１３】
2004051074.tif 000015
【図１４】
2004051074.tif 000016
【図１５】
2004051074.tif 000017
【図１６】
2004051074.tif 000018
【図１７】
2004051074.tif 000019
【図１８】
2004051074.tif 000020
【図１９】
2004051074.tif 000021
【図２０】
2004051074.tif 000022
【図２１】
2004051074.tif 000023
【図２２】
2004051074.tif 000024
【図２３】
2004051074.tif 000025
【図２４】
2004051074.tif 000026
【図２５】
2004051074.tif 000027
【図２６】
2004051074.tif 000028
【図２７】
2004051074.tif 000029
【図２８】
2004051074.tif 000030
【図２９】
2004051074.tif 000031
【図３０】
2004051074.tif 000032
【図３１】
2004051074.tif 000033
【図３２】
2004051074.tif 000034
【図３３】
2004051074.tif 000035
【図３４】
2004051074.tif 000036
【図３５】
2004051074.tif 000037
【図３６】
2004051074.tif 000038
【図３７】
2004051074.tif 000039
【図３８】
2004051074.tif 000040
【図３９】
2004051074.tif 000041
【図４０】
2004051074.tif 000042
【図４１】
2004051074.tif 000043
【図４２】
2004051074.tif 000044